(57)【特許請求の範囲】
【請求項１】
遊技盤を保持する本体枠と、前記本体枠の前面に対し前記遊技盤の盤面を覆うように開閉可能に取付けた前扉と、前記前扉の背面に取付けられ該前扉を閉鎖した状態にて前記遊技盤の盤面との間に所定の奥行き幅を有する遊技空間を介在させて対向する平板状の透明板とを有してなり、前記遊技盤の略中央には大型の役物装置が配置され、前記役物装置はその枠部の前面が前記透明板と近接するように前記遊技盤の盤面から前記遊技空間内に突出していると共に、前記役物装置の下方に、前記遊技空間を流下する遊技球を受止する入口を備えた入賞口を配置してなるパチンコ遊技機において、
前記役物装置の枠部の下辺から前記透明板の内面に沿って前記入賞口の入口の高さ近傍位置まで鉛直下方に延設された、垂直壁状の障害部を有する障害物を形成し、
前記障害物の垂直壁状の障害部の幅を、前記入賞口の入口幅と同じか、又は、それより広幅とし、
かつ、少なくとも前記障害物の輪郭部の背面と前記透明板の背面との段差を、前記透明板の厚さ方向において、前記透明板の背面に沿わせて磁石で誘導しようとする遊技球が前記障害物の輪郭部の背面に移動しようとする遊技球の乗り越えを阻止可能な大きさにすると共に、
前記障害物の背面を、前記遊技盤の盤面との間に前記遊技空間を流下する遊技球が前記入賞口の入口に向けて通過可能な間隙を介在させて前記遊技盤の盤面と対向させ、
さらに、前記障害物における垂直壁状の障害部の下端と前記入賞口の入口の距離、もしくは前記入賞口の入口近傍の前記遊技盤の盤面に対し所定間隔で植設された複数本の障害釘からなる実質上の入口との距離を、遊技球の直径より小で、かつ、前記透明板の背面に接しつつ移動する遊技球の通過を阻止可能な大きさとし、
前記障害物は、前記役物装置の枠部とは別体に形成され、その上端を前記枠部の下辺に対し枢着することで、前記障害物の下端が前記入賞口の入口と前記透明板との間隙から遠ざかる方向に退避移動可能としていることを特徴とするパチンコ遊技機。
【請求項２】
前記障害物は、前記前扉の開放時において、その下端が枢着点を中心に前記遊技盤から遠ざかる方向に所定の角度範囲で回動可能であると共に、前記前扉を閉鎖するときは該前扉に取付けた前記透明板との係合により元の位置に自動復帰可能である請求項１に記載のパチンコ遊技機。
【請求項３】
前記障害物は、遊技盤側の固定部との間に介装した復帰バネの付勢力に抗して手で操作することにより、前記障害物の下端が前記入賞口の入口と前記透明板との間隙から遠ざかる方向に退避移動可能であると共に、前記復帰バネの付勢力で元の位置に自動復帰する請求項１または２に記載のパチンコ遊技機。
【請求項４】
遊技盤を保持する本体枠と、前記本体枠の前面に対し前記遊技盤の盤面を覆うように開閉可能に取付けた前扉と、前記前扉の背面に取付けられ該前扉を閉鎖した状態にて前記遊技盤の盤面との間に所定の奥行き幅を有する遊技空間を介在させて対向する平板状の透明板とを具備すると共に、前記遊技空間を流下する遊技球を受止する入口を備えた入賞口を前記遊技盤の盤面に配置してなるパチンコ遊技機において、
前記入賞口の入口近傍に、この入賞口の入口から前記透明板の内面に沿って鉛直上方に延びる垂直壁状の第１の障害部と、この第１の障害部の上端から前記遊技盤の盤面方向に向かって前記入賞口の上方を覆うように略水平に延びる庇状の第２の障害部とを備えた障害物を配置し、
前記第１の障害部は、その幅が前記入賞口の入口幅と同じか、又は、それより広幅で、
かつ、少なくとも前記第１の障害部の輪郭部の背面と前記透明板の背面との段差が、前記透明板の厚さ方向において、前記透明板の背面に沿わせて磁石で誘導しようとする遊技球が前記第１の障害部の輪郭部の背面に移動しようとする遊技球の乗り越えを阻止可能な大きさになっていると共に、
前記第１の障害部の背面を、前記遊技盤の盤面との間に前記遊技空間を流下する遊技球が前記入賞口の入口に向けて通過可能な間隙を介在させて前記遊技盤の盤面と対向させており、
前記障害物は、前記入賞口を形成する入賞口構成物と別体に形成され、前記第１の障害部の下端を前記入賞口構成物に枢着することにより、前記第２の障害部の先端が前記入賞口の入口の上方から退避動作可能となっていることを特徴とするパチンコ遊技機。
【請求項５】
前記障害物は、前記前扉の開放時において、前記第１の障害部の下端を中心に前記第２の障害部の先端が前記遊技盤から遠ざかる方向に所定の角度範囲で回動可能であると共に、前記前扉を閉鎖するとき、該前扉に取付けた前記透明板と前記第１の障害部の前面との係合により元の位置に自動復帰可能である請求項４に記載のパチンコ遊技機。
【請求項６】
前記障害物は、遊技盤側の固定部との間に介装した復帰バネの付勢力に抗して手で操作することにより、前記障害物の上端が前記遊技盤の盤面から遠ざかる方向に退避移動可能であると共に、前記復帰バネの付勢力で元の位置に自動復帰する請求項４または５に記載のパチンコ遊技機。
【請求項７】
遊技盤を保持する本体枠と、前記本体枠の前面に対し前記遊技盤の盤面を覆うように開閉可能に取付けた前扉と、前記前扉の背面に取付けられ該前扉を閉鎖した状態にて前記遊技盤の盤面との間に所定の奥行き幅を有する遊技空間を介在させて対向する平板状の透明板とを具備すると共に、前記遊技空間を流下する遊技球を受止する入口を備えた入賞口を前記遊技盤の盤面に配置してなるパチンコ遊技機において、
前記入賞口の入口近傍に、この入賞口の入口の上方を覆うように遊技盤側の端末から前記透明板に向かって略水平に延びる庇状の第２の障害部と、この第２の障害部に連接され前記透明板の内面に沿って鉛直下方に延びる垂直壁状の第１の障害部とを備えた障害物を配置し、
前記第１の障害部は、その幅が前記入賞口の入口幅と同じか、又は、それより広幅で、
かつ、少なくとも前記第１の障害部の輪郭部の背面と前記透明板の背面との段差が、前記透明板の厚さ方向において、前記透明板の背面に沿わせて磁石で誘導しようとする遊技球が前記第１の障害部の輪郭部の背面に移動しようとする遊技球の乗り越えを阻止可能な大きさになっていると共に、
前記第１の障害部の背面を、前記遊技盤の盤面との間に前記遊技空間を流下する遊技球が前記入賞口の入口に向けて通過可能な間隙を介在させて前記遊技盤の盤面と対向させており、
前記障害物は、前記入賞口を構成する入賞口構成物と別体に形成され、前記第２の障害部の端末を前記入賞口の入口直上の前記遊技盤の盤面に枢着することにより、前記第１の障害部の下端が前記入賞口の入口と前記透明板との対向間隙から退避動作可能となっていることを特徴とするパチンコ遊技機。
【請求項８】
前記障害物は、前記前扉の開放時において、前記第２の障害部の端末を基点として前記第１の障害部の下端が前記遊技盤から遠ざかる方向に所定の角度範囲で回動可能であると共に、前記前扉を閉鎖するとき、該前扉に取付けた前記透明板と前記第１の障害部の前面との係合により元の位置に自動復帰可能である請求項７に記載のパチンコ遊技機。
【請求項９】
前記障害物は、遊技盤側の固定部との間に介装した復帰バネの付勢力に抗して手で操作することにより、前記障害物の下端が前記入賞口の入口と前記透明板との間隙から遠ざかる方向に退避移動可能であると共に、前記復帰バネの付勢力で元の位置に自動復帰する請求項７または８に記載のパチンコ遊技機。
【発明の詳細な説明】
【技術分野】
【０００１】
本発明は、磁石を使用して遊技盤に発射した遊技球を特定の入賞口に誘導する不正行為を防止する機能を備えたパチンコ遊技機に関するものである。
【背景技術】
【０００２】
パチンコ遊技機の中には、特定の入賞口に遊技球を入球させることにより極めて高い当選確率で大当りを引き当てることが可能な機種や、特定の入賞口に遊技球を入球させることで大当たりを引き当てることが出来る機種（いわゆる一発台と称される機種）のように、特定の入賞口へ入賞する1球に、極めて重みがあるパチンコ遊技機が存在する。このようなパチンコ遊技機の場合は、特定の入賞口に対し不正な方法で遊技球を入賞させ、大当り遊技の権利を得る不正行為に狙われ易い。その代表的な手口としては、強力な磁石を前扉の窓に嵌めたガラス板(以下、このガラス板を透明板と称する。)に軽く押し当て、遊技盤に発射した遊技球を磁石に吸着けて前記特定の入賞口に誘導する磁石ゴトと称される不正行為がある。これを防止するために、従来のパチンコ遊技機では、遊技盤の背後に磁気センサ等を装備して磁石の磁気を検知し、磁気センサに磁石が近づけられた場合に不正行為と見做し警報を発するが採用されている。しかしながら、上記の磁気センサによる不正検知ではセンサの制御回路の増設が必要で装置コストの高騰を招くと共に、磁石による不正行為が行われてからホール従業員が現場に到着するまでに不正行為者が磁石を仲間に渡し証拠隠滅を図れば犯行を特定することができない不具合がある。この様に上記の磁気センサによる検知では上記不正行為そのものを排除することはできず、実質的な店舗側の損害を回避するまでには至らない。  
【０００３】
このため、下記特許文献１では、磁性材料により形成したストッパを入賞口の入口近傍に出没可能に配置し、磁石が接近していないときにはこのストッパが自重によりバランスして遊技盤の後方の不作用位置にて待機すると共に、磁石が接近したときは前記ストッパが磁石に吸引されて入賞口の入口上部に突出し、入賞口への遊技球の入球を阻止するようにしている。    
【特許文献１】実開平５−７０５８２号公報
【発明の開示】
【発明が解決しようとする課題】
【０００４】
しかしながら、上記特許文献１では、磁石の磁力が作用していない通常時には、ストッパが遊技盤から突出しないように自重で待機位置に保持しているが、小さい磁力でストッパを動作させる為にはストッパの質量を極めて小さくする必要がある。ところがストッパの質量を小さくすると自重による待機位置でのバランスが遊技中の機械の振動などで壊れやすく、何らかの衝撃で遊技中に突然前記ストッパが入賞口の入口に突出してしまう恐れがある。また、ストッパが誤動作すると、それ以降は遊技を継続できないため、ホールの従業員がその都度パチンコ遊技機の前扉(ガラス枠)を開いてストッパを手で待機位置に戻す必要があり、従業員の作業負担が増大する問題がある。  
【０００５】
本発明は、かかる従来の磁石による不正行為を防止するための装置が有していた問題に着目してなされたもので、遊技盤面に配置された入賞口の入口近傍に透明板の内面に沿って設けた障害物を配置し、磁石を用いて遊技球を入賞口に誘導する不正行為を未然に防止すると共に、遊技盤面を正常に流下する遊技球については前記入賞口への入球を許容する構成としたパチンコ遊技機を提供することを目的とする。
【課題を解決するための手段】
【０００６】
請求項１記載の発明は、遊技盤を保持する本体枠と、前記本体枠の前面に対し前記遊技盤の盤面を覆うように開閉可能に取付けた前扉と、前記前扉の背面に取付けられ該前扉を閉鎖した状態にて前記遊技盤の盤面との間に所定の奥行き幅を有する遊技空間を介在させて対向する平板状の透明板とを有してなり、前記遊技盤の略中央には大型の役物装置が配置され、前記役物装置はその枠部の前面が前記透明板と近接するように前記遊技盤の盤面から前記遊技空間内に突出していると共に、前記役物装置の下方に、前記遊技空間を流下する遊技球を受止する入口を備えた入賞口を配置してなるパチンコ遊技機において、前記役物装置の枠部の下辺から前記透明板の内面に沿って前記入賞口の入口の高さ近傍位置まで鉛直下方に延設された、垂直壁状の障害部を有する障害物を形成し、前記障害物の垂直壁状の障害部の幅を、前記入賞口の入口幅と同じか、又は、それより広幅とし、かつ、少なくとも前記障害物の輪郭部の背面と前記透明板の背面との段差を、前記透明板の厚さ方向において、前記透明板の背面に沿わせて磁石で誘導しようとする遊技球が前記障害物の輪郭部の背面に移動しようとする遊技球の乗り越えを阻止可能な大きさにすると共に、前記障害物の背面を、前記遊技盤の盤面との間に前記遊技空間を流下する遊技球が前記入賞口の入口に向けて通過可能な間隙を介在させて前記遊技盤の盤面と対向させ、さらに、前記障害物における垂直壁状の障害部の下端と前記入賞口の入口の距離、もしくは前記入賞口の入口近傍の前記遊技盤の盤面に対し所定間隔で植設された複数本の障害釘からなる実質上の入口との距離を、遊技球の直径より小で、かつ、前記透明板の背面に接しつつ移動する遊技球の通過を阻止可能な大きさとし、前記障害物は、前記役物装置の枠部とは別体に形成され、その上端を前記枠部の下辺に対し枢着することで、前記障害物の下端が前記入賞口の入口と前記透明板との間隙から遠ざかる方向に退避移動可能としていることを特徴とする。
【０００７】
すなわち、本発明は、遊技球が入球すれば大当たりが確定するいわゆる特別入賞口や、入球すれば高確率にて大当り抽選が実行される特図始動口等の入賞口の入口を、非磁性材料の一つである合成樹脂（プラスチック）等の材料で形成された役物装置の枠部の下方に配置したパチンコ遊技機において、前記役物装置の枠部の一部を前記入賞口の入口に向かって下方に延長することで、前記入賞口の入口に障害物を設置したものである。（図２５〜図３７参照）  
【０００８】
すなわち、本発明にかかる前記障害物は、透明板の前面に軽く押し当てた強力な磁石により遊技球を吸着け、透明板の背面（遊技盤に対向する面）に沿わせて前記入賞口の入口に遊技球を誘導するのを阻止するためのものである。従って、前記障害物としての条件の一つは、磁石で遊技球を吸い寄せ前記透明板の背面に沿わせて入賞口の入口に不正に誘導するのを阻止する形態であること、もう一つの条件は前記遊技空間を正常に流下する遊技球が入賞口の入口に向かって通過するのを妨げない形態である事であり、少なくともこれらの条件を満足する必要がある。すなわち前記障害物はその背面と前記透明板の背面との段差が前記透明板の厚さ方向において遊技球が乗り越え困難な所定の大きさであることが必要であり、かつ、障害物と入口との距離についても少なくとも前記透明板の背面に沿って移動する遊技球の通過を阻止可能であると共に、障害物の背面と遊技盤面との間隔は遊技球の直径より大きい距離となっていることが必要である。  
【０００９】
また、前記障害物の垂直壁状障害部の幅を前記入賞口の入口幅と同じか、又は、それより広幅としたのは、磁石による不正行為にて障害物の側面の当接した遊技球が入賞口の入口に入るのを阻止するためである。なお、ここで云う「入賞口の入口」とは、遊技球の入球により、賞球の払出しを生じたり、遊技者に有利な状態（例えば、大当たりの権利を取得した状態）としたりする入賞口のみを指す用語ではなく、例えば、遊技者に有利な状態になる入賞口へ誘導する遊技球の誘導通路の入口等も含む広い概念である。また、前記入賞口の入口幅とは、入賞口の上部に障害釘を複数植設している場合は、図２４および図２８に示すように、一方の障害釘３４１Ｌの軸部５８Ｌから他方の障害釘３４１Ｒの軸部５８Ｒまでの隙間寸法Ｌ６を指すものである。勿論、障害釘の頭部が入賞口の入口への入球確率に大きく影響を与える情況下にあっては頭部の離反距離を入賞口の入口幅と解釈しても良い。  
【００１０】
また、前記障害物の背面と前記透明板の背面との段差が前記透明板の厚さ方向において、前記透明板の背面に沿わせて磁石で誘導しようとする遊技球が前記障害物の輪郭部の背面に移動しようとする遊技球の乗り越えを阻止可能な大きさとは、例えば、透明板の前面に押し当てた磁石の吸着力を無限大と仮定した場合には、段差の大きさは遊技球の半径に等しいか、またはそれ以上の大きさとすれば遊技球が段差を乗り越えることを完全に阻止できる。しかし、現実には不正行為者が携行可能な磁石の吸着力には限りがあるので、段差の大きさを遊技球の半径以下とした場合でも、磁石の吸着力を予め予測可能な大きさの値に想定すれば、遊技球の乗り越えが不能な段差の大きさは予め求めることが可能である。なお、遊技球が段差を乗り越える条件の一つの要因として、障害物に遊技球が接する点と透明板の背面との距離が実質上の段差となるので、障害物の側面の形状もできる限り遊技球と接する点が透明板の背面から可能な限り遠い位置になるよう設計することが肝要である。
【００１１】
なお、障害物と入賞口の入口の距離、もしくは前記入賞口の入口近傍の遊技盤面に対し所定間隔で植設された複数本の障害釘からなる実質上の入口との距離を障害物と入口との距離が少なくとも遊技球の直径より小さく、かつ、前記透明板の背面に接して転動する遊技球の通過を阻止可能な距離とした理由は、磁石で透明板の背面に引き寄せた遊技球を障害物の下端と入賞口の入口との隙間から侵入させない条件を定義したものである。すなわち、前記障害物の背面と透明板との段差の大きさについて説明したのと同じく、この隙間の大きさについても使用する磁石の吸着力によって条件が異なるが、磁石の吸着力を予め所定の範囲に想定し、遊技球の通過を阻止するために必要最小限の障害物の下端と入賞口の入口との実質的な隙間を設定すればよい。なお、図２４および図２８に示すように、前記障害物の下端と入賞口の入口を実質的に規定する障害釘との距離Ｌ１は、一般には前記障害釘の軸部から前記障害物の下端面までの距離であるが、障害釘の頭部が最も障害物に接近している場合は障害釘の頭部と前記障害物の下端面までの距離を意味する。  
【００１３】
なお、障害物の回動方向は、遊技盤から遠ざかる方向でも、遊技盤に接近する方向のいずれでも障害物の下端を入賞口の入口から退避させればよいので、例えば、障害物の上端を遊技盤の盤面と直交する軸により回転可能に軸支して構成することも本発明の概念に含まれる。
【００１４】
請求項２の発明は前記請求項１に記載したパチンコ遊技機において、前記障害物は、前記前扉の開放時において、その下端が枢着点を中心に前記遊技盤から遠ざかる方向に所定の角度範囲で回動可能であると共に、前記前扉を閉鎖するときは該前扉に取付けた前記透明板との係合により元の位置に自動復帰可能であることを特徴とする。
【００１５】
請求項３の発明は前記請求項１または２に記載のパチンコ遊技機において、前記障害物は、遊技盤側の固定部との間に介装した復帰バネの付勢力に抗して手で操作することにより、前記障害物の下端が前記入賞口の入口と前記透明板との間隙から遠ざかる方向に退避移動可能であると共に、前記復帰バネの付勢力で元の位置に自動復帰することを特徴とする。
【００１９】
請求項４にかかる発明は、遊技盤を保持する本体枠と、前記本体枠の前面に対し前記遊技盤の盤面を覆うように開閉可能に取付けた前扉と、前記前扉の背面に取付けられ該前扉を閉鎖した状態にて前記遊技盤の盤面との間に所定の奥行き幅を有する遊技空間を介在させて対向する平板状の透明板とを具備すると共に、前記遊技空間を流下する遊技球を受止する入口を備えた入賞口を前記遊技盤の盤面に配置してなるパチンコ遊技機において、前記入賞口の入口近傍に、この入賞口の入口から前記透明板の内面に沿って鉛直上方に延びる垂直壁状の第１の障害部と、この第１の障害部の上端から前記遊技盤の盤面方向に向かって前記入賞口の上方を覆うように略水平に延びる庇状の第２の障害部とを備えた障害物を配置し、前記第１の障害部は、その幅が前記入賞口の入口幅と同じか、又は、それより広幅で、かつ、少なくとも前記第１の障害部の輪郭部の背面と前記透明板の背面との段差が、前記透明板の厚さ方向において、前記透明板の背面に沿わせて磁石で誘導しようとする遊技球が前記第１の障害部の輪郭部の背面に移動しようとする遊技球の乗り越えを阻止可能な大きさになっていると共に、前記第１の障害部の背面を、前記遊技盤の盤面との間に前記遊技空間を流下する遊技球が前記入賞口の入口に向けて通過可能な間隙を介在させて前記遊技盤の盤面と対向させており、前記障害物は、前記入賞口を形成する入賞口構成物と別体に形成され、前記第１の障害部の下端を前記入賞口構成物に枢着することにより、前記第２の障害部の先端が前記入賞口の入口の上方から退避動作可能となっていることを特徴とする。
【００２２】
請求項５にかかる発明は前記請求項４に記載のパチンコ遊技機における前記障害物が、前記前扉の開放時において、前記第１の障害部の下端を中心に前記第２の障害部の先端が前記遊技盤から遠ざかる方向に所定の角度範囲で回動可能であると共に、前記前扉を閉鎖するとき、該前扉に取付けた前記透明板と前記第１の障害部の前面との係合により元の位置に自動復帰可能であることを特徴とする。
【００２３】
請求項６にかかる発明は請求項４または５に記載のパチンコ遊技機において、前記障害物は、遊技盤側の固定部との間に介装した復帰バネの付勢力に抗して手で操作することにより、前記障害物の上端が前記遊技盤の盤面から遠ざかる方向に退避移動可能であると共に、前記復帰バネの付勢力で元の位置に自動復帰することを特徴とする。
【００２４】
請求項７にかかる発明は、遊技盤を保持する本体枠と、前記本体枠の前面に対し前記遊技盤の盤面を覆うように開閉可能に取付けた前扉と、前記前扉の背面に取付けられ該前扉を閉鎖した状態にて前記遊技盤の盤面との間に所定の奥行き幅を有する遊技空間を介在させて対向する平板状の透明板とを具備すると共に、前記遊技空間を流下する遊技球を受止する入口を備えた入賞口を前記遊技盤の盤面に配置してなるパチンコ遊技機において、前記入賞口の入口近傍に、この入賞口の入口の上方を覆うように遊技盤側の端末から前記透明板に向かって略水平に延びる庇状の第２の障害部と、この第２の障害部に連接され前記透明板の内面に沿って鉛直下方に延びる垂直壁状の第１の障害部とを備えた障害物を配置し、前記第１の障害部は、その幅が前記入賞口の入口幅と同じか、又は、それより広幅で、かつ、少なくとも前記第１の障害部の輪郭部の背面と前記透明板の背面との段差が、前記透明板の厚さ方向において、前記透明板の背面に沿わせて磁石で誘導しようとする遊技球が前記第１の障害部の輪郭部の背面に移動しようとする遊技球の乗り越えを阻止可能な大きさになっていると共に、前記第１の障害部の背面を、前記遊技盤の盤面との間に前記遊技空間を流下する遊技球が前記入賞口の入口に向けて通過可能な間隙を介在させて前記遊技盤の盤面と対向させており、前記障害物は、前記入賞口を構成する入賞口構成物と別体に形成され、前記第２の障害部の端末を前記入賞口の入口直上の前記遊技盤の盤面に枢着することにより、前記第１の障害部の下端が前記入賞口の入口と前記透明板との対向間隙から退避動作可能となっていることを特徴とする。
【００２５】
請求項８にかかる発明は請求項７に記載のパチンコ遊技機における前記障害物が、前記前扉の開放時において、前記第２の障害部の端末を基点として前記第１の障害部の下端が前記遊技盤から遠ざかる方向に所定の角度範囲で回動可能であると共に、前記前扉を閉鎖するとき、該前扉に取付けた前記透明板と前記第１の障害部の前面との係合により元の位置に自動復帰可能であることを特徴とする。
【００２６】
請求項９にかかる発明は請求項７または８に記載のパチンコ遊技機における前記障害物が、遊技盤側の固定部との間に介装した復帰バネの付勢力に抗して手で操作することにより、前記障害物の下端が前記入賞口の入口と前記透明板との間隙から遠ざかる方向に退避移動可能であると共に、前記復帰バネの付勢力で元の位置に自動復帰することを特徴とする。
【発明の効果】
【００２８】
請求項１に記載の発明によれば、磁石を使用して遊技球を不正に誘導する場合、遊技球は透明板の背面に沿って転動するが、入賞口の入口近傍には、遊技盤面を覆う透明板の背面に沿って障害物が設けられ、透明板の背面を這う遊技球が障害物によって入賞口の入口まで誘導するのを阻止するため、磁石を用いた不正入賞行為が未然に防止される。また、この発明によれば、遊技球が役物装置の中を経由し、前記入賞口の入口の上方で、遊技空間に放出される構成のパチンコ遊技機において、より実用性、機能性、装飾性に富んだ前記障害物の形成が可能であるという効果がある。  
【００３０】
また、障害物が役物装置の枠部と別体に形成され、その上端が前記枠部の下辺に枢着されているので、入賞口の入口が障害釘によって構成されている場合に特に、障害物を手動で操作し、下端を前記入賞口の入口と透明板との間隙から遠ざけて障害釘の周囲にメンテナンススペースを確保し、障害釘の間隔を微調整したり、入賞口のメンテナンスを行ったりするのを容易にできる効果を奏する。
【００３１】
請求項２に記載の発明によれば、前扉を開放して入賞口のメンテナンス等を実施する際において、障害物の下端を持ち上げると、障害物が枢着点を中心に遊技盤から遠ざかる方向に所定の角度範囲まで回動し、入賞口の入口付近に大きなスペースが発生するので、メンテナンスが容易になると共に、メンテナンスを終了して前記前扉を閉鎖すると、前扉の透明板が障害物の前面と係合し、これにより障害物が元の位置に自動復帰するので、作業者が障害物を元の位置に戻すのを忘れたりする恐れがなく、またメンテナンス作業の効率化を図ることができる。
【００３２】
請求項３に記載の発明によれば前記障害物の下端が入賞口等の構成物に枢着されて回動可能となっており、かつ、復帰バネにより元の位置に復帰するよう付勢されているので、入賞口のメンテナンスを必要とする場合は、前記復帰バネに抗して手で障害物の操作し、障害物の下端が前記入賞口の入口と透明板との間隙から遠ざかる方向に退避動作させると入賞口の入口付近に大きなメンテナンススペースを発生させることができると共に、メンテナンスを終了して前記障害物から手を離すと、障害物は復帰バネの付勢力により元の位置に自動復帰するので、作業者が障害物を元の位置に戻すのを忘れたりする恐れがなく、またメンテナンス作業の効率化を図ることができる。
【００３６】
請求項４に記載の発明によれば、上部に大型の役物装置を配置しない入賞口を遊技盤に設けたパチンコ遊技機において、前記入賞口への入賞経路を確保しつつ、磁石を使用した遊技球の誘導による不正入賞を防止し得るという効果がある。（図３２〜図３７参照）
【００３８】
また、障害物が遊技盤に設けた役物装置の枠部と別体に形成され、その下端が入賞口等の構成物に枢着されているので、障害物を手動で操作すれば障害物の上端を前記入賞口の入口の上方から遠ざけて障害釘の周囲にメンテナンススペースを形成し、入賞口の入口が障害釘によって構成されている場合には障害釘の間隔を微調整したり、入賞口のメンテナンス行ったりするのを容易にできるなどの効果を奏する。
【００３９】
請求項５に記載の発明によれば前記障害物の下端が入賞口等の構成物に枢着され回動可能となっているので、入賞口のメンテナンス等を必要とする場合は、前扉を開放し障害物の上端を前方に引くと、障害物の上端が前記枢着点を中心に遊技盤から遠ざかる方向に所定の角度範囲まで回動し、入賞口の入口付近に大きなスペースが発生するので、メンテナンスが容易になると共に、メンテナンスを終了して前記前扉を閉鎖すると、前扉の透明板が障害物の前面と係合し、これにより障害物が元の位置に自動復帰するので作業者が障害物を元の位置に戻すのを忘れたりする恐れがなく、またメンテナンス作業の効率化を図ることができる。
【００４０】
請求項６に記載の発明によれば、前記障害物の下端が入賞口等の構成物に枢着され回動可能となっているので、入賞口のメンテナンス等を必要とする場合は、前扉を開放し障害物の上端を前方に引くと、障害物の上端が前記枢着点を中心に遊技盤から遠ざかる方向に所定の角度範囲まで回動し、入賞口の入口付近に大きなスペースが発生するので、メンテナンスが容易になると共に、メンテナンスを終了して前記前扉を閉鎖すると、前扉の透明板が障害物の前面と係合し、これにより障害物が元の位置に自動復帰するので作業者が障害物を元の位置に戻すのを忘れたりする恐れがなく、またメンテナンス作業の効率化を図ることができる。
【００４１】
請求項７に記載の発明によれば、前記障害物の上端が、入賞口の入口直上の遊技盤面に枢着され、障害部の下端が前記入賞口の入口と透明板との対向間隙から退避動作可能となっているため、入賞口のメンテナンス等を必要とする場合は、前扉を開放し障害物の下端を手前に引くか、または遊技盤に接近する方向に操作すると、障害物の端が前記枢着点を中心に回動し、入賞口の入口付近に大きなスペースが発生するので、メンテナンスが容易になる。
【００４２】
請求項８に記載の発明によれば、前記障害物の上端が、入賞口の入口直上の遊技盤面に枢着され、障害部の下端が前記入賞口の入口と透明板との対向間隙から退避動作可能となっているため、入賞口のメンテナンス等を必要とする場合は、前扉を開放し障害物の下端を手前に引くと、障害物の下端が前記枢着点を中心に回動し、入賞口の入口付近に大きなスペースが発生するので、メンテナンスが容易になると共に、メンテナンスを終了して前記前扉を閉鎖すると、前扉の透明板が障害物の前面と係合し、これにより障害物が元の位置に自動復帰するので作業者が障害物を元の位置に戻すのを忘れたりする恐れがなく、またメンテナンス作業の効率化を図ることができる。
【００４３】
請求項９に記載の発明によれば、前記障害物の上端が入賞口の入口直上の遊技盤面に枢着されて回動可能となっており、かつ、復帰バネにより元の位置に復帰するよう付勢されているので、入賞口のメンテナンスを必要とする場合は、前記復帰バネに抗して手で障害物の操作し、障害物の下端を前記入賞口の入口と透明板との間隙から遠ざかる方向に退避動作させると入賞口の入口付近に大きなメンテナンススペースを確保することができると共に、メンテナンスを終了して前記障害物から手を離せば障害物は復帰バネの付勢力により元の位置に自動復帰するので、作業者が障害物を元の位置に戻すのを忘れたりする恐れがなく、またメンテナンス作業の効率化を図ることができる。
【発明を実施するための最良の形態】
【００４５】
本発明にかかるパチンコ遊技機の具体的な実施形態について説明する。図１はパチンコ遊技機１の外観構成を示す正面図である。まず、パチンコ遊技機１は、ベース枠（外枠）２に本体枠５６の一側をヒンジにより開閉自在に取付け、かつ、本体枠５６の前面に前扉３をヒンジを介して開閉自在に取付けた構成となっている。前記前扉３には、略円形の窓孔４が形成されており、窓孔４の背面側には、例えば、強化ガラス板等の透明板５５が嵌め込まれており、この透明板５５を介して、その奥側に設けられた遊技盤５（図２、図２３参照）の遊技領域全体が透視することが可能となっている。なお、透明板５５は通常、前記遊技盤５に対するセキュリティー性を高める目的で、２枚のガラス板を所定間隔を存して平行に配置して構成されるが、本実施形態では説明を簡略化するため、遊技盤５の前面に１枚の透明板５５が配置されているものとして説明を進める。前記遊技盤５の周囲には演出効果を高めるランプ類Ｑが設置されている。また、遊技盤５の左右下部方向には音で演出効果を盛り上げるスピーカ１１，１２が設置されている。  
【００４６】
前記前扉３の下部には、遊技球を貯留するための球受容器（球受け皿）６が配置されている。球受容器６に貯留された遊技球は、パチンコ遊技機１の内部に設けた発射装置（図示せず）に１球ずつ供給される。球受容器６の右側にはハンドル７が設けられており、遊技者がこのハンドル７を操作して、軸線回りに回転させることにより、発射装置から遊技盤５と透明板５５との間の遊技空間Ｓに向かって遊技球が１つずつ所定間隔に自動発射される。  
【００４７】
遊技盤５の下部には操作手段として作動する押しボタン８，９，１０が配置されている。これらの押しボタンは遊技者が遊技に参加する時に使用される。  
【００４８】
図２は、前記図１に示した本体枠５６に取付けられた遊技盤５の盤面構成を示す正面図である。遊技盤５の周縁には、前記発射装置から発射された遊技球を遊技盤５の左側上部に導くための略円弧状の外ガイドレール１３ａと遊技領域の下半部を包囲する内ガイドレール１３ｂが配置されている。遊技盤５には、多数の障害釘（図示省略）が植設されており、外ガイドレール３ａに沿って遊技盤５の左側上部から上方に放たれた遊技球は、遊技盤５の盤面と前記透明板５５との間に形成される遊技空間Ｓ内を前記障害釘に衝突しながら下方へと落下していく。  
【００４９】
遊技盤５の中央上部には、後述する第１遊技球振分ステージを内部に形成した第１役物装置１４が設置されている。この第１役物装置１４に入球した遊技球は、前記第１振分ステージにより所定の通路を通過した遊技球のみが、再び遊技盤５から遊技空間Ｓに放出される。  
【００５０】
第１役物装置１４の左右斜め上方には、遊技球の流下方向に変化を与える風車１５,１６が回転自在に設置されている。また、前記第１役物装置１４の左には遊技球が入賞すると所定の賞球が払出される普通入賞口１７が設置されている。  
【００５１】
一方、前記第１役物装置１４の下方には、前記役物装置１４内から遊技盤５の前面の遊技空間Ｓに放出された遊技球の流下方向を変更する風車１８が設置されていると共に風車１８の周囲には、図示なき障害釘がこれを取り囲むように配設されている。（詳細については図１０にて説明する。）  
【００５２】
また、前記風車１８の下方には、内部にクルーンと称される円形の第２遊技球振分ステージを内蔵した第２役物装置１９が配置されている。なお、前記第１役物装置１４、並びに前記風車１８と障害釘で囲まれた通路を経た遊技球のみが前記第２役物装置１９に入球可能性大とした構成になっている。  
【００５３】
また、第２役物装置１９内の第２遊技球振分ステージにおいて特別入賞口(特定の孔)に入球し、特定の経路を通過した遊技球のみが、前記第２役物装置の下方に設置されている第１始動入賞口２０に入球し得るよう構成した。  
【００５４】
すなわち、前記第１始動入賞口２０に遊技球が入ると、予め定めた個数の賞球が図示なき賞球装置から前記球受容器６に払出されるとともに、制御基板に設けた大当り抽選手段にて大当たり抽選が実行され、遊技者が大当たり遊技を実行できるか否かが決定される。なお、大当たり抽選の抽選結果は、特別図柄表示部２１の図柄を所定時間変動表示させた後、図柄を停止表示することで遊技者に報知される。  
【００５５】
前記大当たり抽選に当選したときは、特別電動役物２３に係る大入賞口２２が開口する大当たり遊技が開始され、前記第２役物装置に向かって右上方に設置されている特別入賞口（大入賞口）２２が開口する。特別入賞口（大入賞口）２２は横長の長方形状に形成され、複数個の遊技球が同時に入球可能な大きさになっており、この特別入賞口２２に関連して、特別入賞口２２に遊技球を案内する開状態と、特別入賞口（大入賞口）２２に遊技球が入るのを阻止する閉状態との間で開閉動作する開閉板２３（特別電動役物）が設けられている。なお、開閉板２３は、遊技盤５の盤面に沿った面一状態にて特別入賞口２２を閉塞して、特別入賞口２２に遊技球が進入するのを阻止することができ、また、この状態から、特別入賞口２２の下端縁に沿って配置された図示なき回動軸を中心に手前側に倒伏することにより、前記特別入賞口２２を開放して、特別入賞口２２上に落下してくる遊技球を内面で受止し、特別入賞口２２内に導き入れることができるようになっている。  
【００５６】
前記大当たり遊技が終了すると、いわゆる確変遊技状態に移行する。この確変遊技状態時に実行される時短遊技では前記大入賞口２２の下方に設置された第２始動入賞口２４が開口する。なお、前記第２始動入賞口を開口するか否かを決定する抽選は、遊技球がスルーゲート２６を通過する毎に実行され、その抽選結果は、普通図柄表示部２７にて発光ダイオードを所定時間点滅させ、変動表示を行った後、発光ダイオードを継続点灯することで確定表示される。  
【００５７】
第２役物装置１９の左方には特別図柄表示部２１と、普通図柄表示部２７と、特別図柄用保留表示部２８と、普通図柄保留表示部２９とが設けられている。特別図柄表示部２１は７セグメント表示器が用いられており、始動入賞ごとの特別図柄抽選結果を示すセグメント表示を行う。普通図柄表示部２７は、例えば赤色と緑色の発光ダイオードが用いられており、普通図柄始動ゲート２６を遊技球が通過時に抽選が行われ、当該抽選に当選したときは、所定時間変動した後に、赤色発光ダイオードが点灯し、普通電動役物（開閉板）２５が所定の時間および回数開く。一方、外れのときは緑色発光ダイオードが点灯する。特別図柄保留表示部２８、普通図柄保留表示部２９は、発光ダイオードが用いられ、特別図柄と普通図柄の抽選に関しての結果表示を保留している遊技球数を表示する。  
【００５８】
次に、図３乃至図５について第１役物装置１４の構造を説明する。図３は第１役物装置１４を上方から見た斜視図、図４は同第１役物装置１４の正面図、図５は図４の状態の前記第１役物装置１４から枠部９００及び前記第１役物装置１４を遊技盤５に取付けるための基板８２を取り外した状態を示す正面図である。  
【００５９】
図３において、前記第１役物装置１４は、全体が前面に開口を有する箱型形状をなし、かつ、内部の底面に前記第１遊技球振分ステージ２００を具備する本体ケース８０と、本体ケース８０の前面に取付けられる枠部９００と、前記本体ケース８０および枠部９００を遊技盤５の前面に固定するための取付基板８２と、取付基板８２の前面に取付けたクラゲ型の役物８３と、前記本体ケース８０の左右側面部８４Ｌ，８４Ｒに取付けた取付側方部８５Ｌ，８５Ｒとから構成される。なお、前記クラゲ役物８３には図示なきランプＬ２が内蔵されており、演出のために用いられる。  
【００６０】
また、前記本体ケース８０は、本体ケース上面部８１と、本体ケース側面部（左右２側面）８４Ｌ，８４Ｒと、本体ケース背面部８６と、本体ケース底面部の第１遊技球振分ステージ２００とから構成されている。前記本体ケース８０、取付側方部（８４Ｌ，８４Ｒ）、取付基板８２、及び枠部９００はポリカーボネ-トやアクリル樹脂等の透明性に優れたプラスチック材料により形成されている。なお、クラゲ役物８３は、セラミックで形成されている。  
【００６１】
次に、遊技球の第１遊技球振分ステージへの進入経路を図３、図１９について説明する。まず、遊技盤５の前面の遊技空間Ｓを流下する遊技球が、前記枠部９００の側方導入開口部８７Ｌ,８７Ｒに入球すると、本体ケース取付側方部８５Ｌ,８５Ｒのいわゆるワープ通路８８Ｌ，８８Ｒへと繋がる前記枠部９００内の空間に導入される。その後、当該遊技球は、約９０°移動方向を変え、本体ケース側方部導入開口部９９Ｌ，９９Ｒから取付側方部８５Ｌ,８５Ｒ内に形成されたワープ通路８８Ｌ，８８Ｒを通過して、再び約９０°向きを変えて、最終的に第１遊技球振分ステージ２００に至る。なお、図１９における点線Ａは、前記遊技球が枠部９００の側方導入開口部８７Ｌから前記ワープ通路８８Ｌを通過して前記第１遊技球振分ステージ２００に至る軌跡を示している。なお、前記第１役物装置１４内に導入された遊技球のみが、前記第１始動入賞口２０に入球する可能性を有しており、それ以外の遊技球が前記第１始動入賞口２０に入球することがないゲージ構成となっている。  
【００６２】
前記第１役物装置１４の振分ステージ２００は、図６乃至図９に開示するように、前記のようにワープ通路８８Ｌ，８８Ｒを通じて導入された遊技球を受止する後部ステージ２０１と、この後部ステージ２０１の前側に配置された前部ステージ２０２とから構成されている。前記後部ステージ２０１の上面には遊技球を前部ステージ２０２側に誘導する左右一対の傾斜路２０３Ｌ，２０３Ｒが設けられている。また、前部ステージ２０２の上面には、進入した遊技球が円周回転運動をしながら徐々に中心に向かって移動するすり鉢状の底面形状を有する左右一対の円形状の周回運動凹部２０４Ｌ，２０４Ｒと、この一対の周回運動凹部２０４Ｌ，２０４Ｒの間において前後方向に直線状に形成された有利側案内路２０５と、前記一対の周回運動凹部２０４Ｌ，２０４Ｒに対応して、後部ステージ２０１の各傾斜路２０３Ｌ，２６３Ｌ，２７３Ｌ、２０３Ｒ，２６３Ｒ，２７３Ｒから遊技球をそれぞれ各周回転運動凹部２０４Ｌ，２０４Ｒに案内する左右一対の凹部案内路２０６Ｌ，２０６Ｒとが設けられている。  
【００６３】
前記各周回運動凹部２０４Ｌ、２０４Ｒの中心部にはそれぞれ単一の外れ球落下孔２０７Ｌ、２０７Ｒが設けられ、この外れ球落下孔２０７Ｌ、２０７Ｒに落下した遊技球は、前部ステージ２０２から取付側方部８５Ｌ，８５Ｒにまで延設された遊技球通路２０９Ｌ、２０９Ｒを経由して、それぞれ取付側方部８５Ｌ，８５Ｒの遊技球放出口８９Ｌ、８９Ｒ（図５参照）から遊技盤５前面の遊技空間Ｓに戻されるようになっている。なお、前記外れ球落下孔２０７Ｌから遊技球放出口に至る遊技球の軌跡を図１９の点線Ｂで表示している。また、前記有利側案内路２０５は、その底部が前側から後側に向かって緩やかに傾斜する傾斜面に形成されており、この有利側案内路２０５に進入した遊技球は、有利案内路２０５の後端開口部２１０から、前部ステージ２０２に設けた誘導路２１２を通して、遊技球放出口２１１から風車１８が設置された方向に向かって遊技盤５の前面の遊技空間Ｓ内に放出される。  
【００６４】
また、前記誘導路２１２を通過して放出口２１１から前記遊技空間Ｓに放出された遊技球の移動状況は、前記枠部９００の第1孔部３５１より明確に視認できる。また、前記第１孔部３５１を有する枠部９００下部の突出部３６１は、磁石を使用して遊技球を誘導し、入賞口に入賞させる不正を阻止する効果とともに、放出口２１１から運動量が大きい状態で放出された遊技球が前方の透明板にダイレクトに衝突するのを防止する役目をしている。また、前記前扉３を開放した状態で、前記第１役物装置１４内の遊技球の動きを確認するときに、遊技球が前記誘導路２１２を通過して放出口２１１から機外に飛び出すのを防止する役割もある。なお、遊技球放出口８９Ｌ，８９Ｒから遊技盤５に放出された遊技球は、ゲージ構成(役物や障害釘等の配列)の関係で、前記第２役物装置内１９に導入される事は無く、また第１始動入賞口２０に入球することも無い。  
【００６５】
さらに、前記各凹部案内路２０６Ｌ，２０６Ｒは、左右いずれか一方の周回運動凹部２０４Ｌ，２０４Ｒの後方から外側周縁部に近づき、その外側周縁部から前側周縁部を経て他方の円周回転運動凹部２０４Ｒ，２０４Ｌの前側周縁部にまで延設されており、遊技球を両方の周回運動凹部２０４Ｌ，２０４Ｒに案内するようになっている。また、各凹部案内路２０６Ｌ，２０６Ｒは、一方の周回運動凹部２０４Ｌ，２０４Ｒの後方から外側周縁部に近づく箇所でその周回運動凹部２０４Ｌ，２０４Ｒの外周に対しその略接線方向で交差するとともに、他方の円周回転運動凹部２０４Ｒ，２０４Ｌの前側周縁部にまで延びる箇所でその円周回転運動凹部２０４Ｒ，２０４Ｌの外周に対しその略接線方向に交差するように設けられている。そして、この各凹部案内路２０６Ｌ，２０６Ｒにより案内された遊技球が一方の周回運動凹部２０４Ｌ，２０４Ｒに進入する際に他の遊技球がその周回運動凹部２０４Ｌ，２０４Ｒで円周回転運動していると両遊技球が衝突して進入する方の遊技球が跳ね飛ばされ得るようになっており、また、周回運動凹部２０４Ｌ，２０４Ｒは、勢いよく遊技球が入っても有利側案内路２０５側に飛び出し難い深さを有しており、遊技球同士の衝突によって跳ね飛ばされた遊技球のみが前記有利側案内路２０５に進入し得るように構成されている。この遊技球同士の衝突によって跳ね飛ばされた遊技球は前記有利側案内路２０５に進入し、前記後端開口部２１０に落下する遊技球の軌跡を図２０（ａ）に示す。また、後部ステージ２０１で２個の遊技球が衝突し、その結果、弾き飛ばされた１球が各凹部案内路２０６Ｌから前部ステージ２０２に移動し、他方の弾き飛ばされた遊技球が、各凹部案内路２０６Ｒから前部ステージ２０２に移動することにより２個の遊技球が、前部ステージで再び衝突し、一方が前記有利側案内路２０５に進入することもある。このときの遊技球の軌跡を図２０（ｂ）に示す。  
【００６６】
なお、前記後部ステージ２０１の中央部には、遊技球が後部ステージを左右に転動する勢いを削ぐために、畝状の突部２１３が設けてある。また、前記畝状突部２１３の稜線の前端には、前記有利側案内路２０５の後端開口部２１０に向けて浅い傾斜溝２１４が設けてあり、極めて稀に遊技球が浅い傾斜溝２１４により直接有利側案内路２０５の後端開口部２１０を通じて誘導路２１２に落下することもある。  
【００６７】
次に、前記第１役物装置の第１遊技球振分ステージ２００において、有利側案内路２０５の後端開口部２１０から誘導路２１２に落下し、放出口２１１から遊技盤５に放出された遊技球の挙動について図１０を参照しつつ説明する。  
【００６８】
前記放出口２１１から遊技盤５に戻った遊技球は
、風車１８と領域２５０内に配設された複数の障害釘とにより流下方向が変化させられる。具体的には前記放出口２１１から遊技盤５に放出された遊技球は、遊技盤上を略垂直方向に落下する。最初に、左右の障害釘ａL、ａＲ間（正確にはａＬの軸とａＲの軸間）を通過する。このａL、ａＲ間は例えば１３ｍｍであり、直径１１ｍｍの遊技球は、前記放出口２１１から余程イレギュラーな放出でない限りは、ａL、ａＲ間を通過し、風車１８に到達する。  
【００６９】
前記風車１８に到達した遊技球は、風車に対する進入方向や、風車に設けた遊技球保持部５０,５０，５０の停止位置等の影響を受け、風車１８の回転により、左右下方向に誘導される。そして、当該遊技球は、主に障害釘ｂＬ，ｂＲやｃＬ，ｃＲによって、転動方向が決定される。例えば風車１８により、右回転方向に転動方向を変化させられた遊技球は、障害釘ｂＲとの衝突により、内側（釘ｃＲの方向）に、転動方向を変え、障害釘ｃＬ−ｃＲ間及びｄＬ−ｄＲ間を通過して、後に記載する第２役物装置１９の枠部９２の導入部３０１に進入する。  
【００７０】
一方、風車１８により、左回転方向に転動方向を変化させられた遊技球は、障害釘ｂＬとの衝突により、内側（釘ｃＬの方向）に、転動方向を変え、障害釘ｃＬ−ｃＲ間及びｄＬ−ｄＲ間を通過して、後に記載する第２役物装置１９の枠部９２の導入部３０１に進入する。  
【００７１】
前記放出口２１１から、遊技盤５に放出された遊技球が前記第２役物装置１９の枠部９２の導入部３０１に進入する割合（以下、これを導入率と記載する。）を調整するのは、主として４本の釘を調整すればよい。つまり、導入率を上げるためには、ｂＲ−ｃＲ間並びにｂＬ−ｃＬ間を広くするとともに、ｃＬ−ｃＲ間を広くすれば良い。逆に前記導入率を下げるためには、ｂＲ−ｃＲ間並びにｂＬ−ｃＬ間を狭くするとともに、ｃＬ−ｃＲ間を狭くすれば良い。以上のように、釘調整により、前記放出口２１０から遊技盤５に放出された遊技球が前記第２役物装置１９における枠部９２の導入部３０１に進入する割合を調整することができる。従って上記のように、パチンコ遊技機の本体枠５６を開閉するときに生じた遊技盤５の衝撃等による振分装置の傾斜角度変化による第１始動入賞口２０の入賞率の変化が生じた場合等には、前記障害釘の調整により、前記導入口３０１への入球率を調整することにより、最終的に前記第１始動入賞口２０への入賞率を適正値にすることが可能である。前記放出口２１１から、遊技盤５に放出された遊技球が前記第２役物装置１９の枠部９２の導入部３０１に進入するときの軌跡については図２１に示す。  
【００７２】
また、ここでは、前記放出口２１１から、遊技盤５に放出された遊技球の転動方向をまず、風車１８により変化させている。なお、前記放出口２１１から遊技盤に放出された遊技球が前記第２役物装置１９における枠部９２の導入部３０１へ入球するときの導入率を調整することが目的であるなら、敢えて風車を配置せず、障害釘配設領域２５０の釘配設のみで、遊技球が前記第２役物装置１９における枠部９２の導入部３０１への導入率を調整することは可能である。しかし、障害釘だけで振分けを行うと、前記進入割合の高低を遊技者が容易に推測できてしまうので、遊技性の観点から単調になりやすい上に、前記導入率が低いと予想される遊技機については稼働率が減少するという問題がある。  
【００７３】
その点、自由回転する風車を設けた場合は、例えば、図１０に示すように遊技球保持部５０がたまたま「Ｙの字」の角度位置関係になっているときに、遊技球が風車に絡むと、風車の回転力が最大限に働き、風車に絡んだ遊技球が回りの障害釘（特に図１０のｂＬ，ｂＲ）に接触することなく、直接導入部３０１に到達するということがある。つまり風車の待機角度によって、風車に絡んで流下する遊技球の移動軌跡が変化するという多様な遊技性を実現することができる。  
【００７４】
次に、図１１および図１２を参照して第２役物装置１９について説明する。第２役物装置は、本体ケース９０と、基板９１と、枠部９２とから構成されている。本体ケース９０は、上面部９５と、側面部９３Ｌ，９３Ｒ（図示せず）と、背面部９４と、底面部を構成する第２振分ステージ４００とから構成されている。第２役物装置１９は、基板９１により、遊技盤５に取付けられている。前記本体ケース９０、基板９１及び枠部９２は、ポリカーボネート樹脂などの耐衝撃性および耐摩耗性にすぐれた合成樹脂で成型されている。  
【００７５】
次に、遊技球が第２役物装置１９内に導入される機構について説明する。前記第１役物装置１４の前記放出口２１１から放出され、前記風車１８並びに障害釘配設領域２５０を通過し、前記枠部９２の導入部３０１に至った遊技球は、前記導入部３０１から、前記枠部９２内のワープ通路３０２及び本体ケース側面部９３Ｌ内のワープ通路３０３を通過して、前記第２振分ステージ４００に到達する。なお、図２２に前記前方飾り枠９２内のワープ通路３０２及び本体ケース側面部９３内のワープ通路３０３を通過する遊技球の通過軌跡を点線で示す。  
【００７６】
次に図１３を参照しつつ前記第２振分ステージ４００の構成について記載する。前記振分ステージ４００は、前記ワープ通路３０３を通過して遊技球が到達する導入部４０１と、前記導入部４０１から進入した遊技球が周回運動をしながら徐々に中心に向かって移動する底部がすり鉢状の斜面に形成され、かつ、中心部に３個の遊技球落下孔４０３，４０４，４０５が形成されているクルーン部４０２とから構成されている。前記クルーン部４０２は、半径２００ｍｍの球状凹面の一部を切取った凹面を構成要素として使用している。半径が２００ｍｍ程度にまで大きくなれば、前記クルーン部４０２で円周回転運動をしている遊技球が、中心部の落下孔４０３、４０４、４０５に落下する直前まで、ある程度の速度を保持しつつ周回運動が続くので、いわゆるパチンコ遊技機に振動を与えて、不正に遊技者に有利な落下孔（ここでは落下孔４０３が該当）に落下させることが困難になるという効果が生じる。  
【００７７】
次に図１４及び図１５について遊技球がクルーン部の落下孔４０３、４０４、４０５に落下した後の挙動を説明する。まず、前記有利落下孔４０３に落下した遊技球は、遊技球誘導路４０８を通過して、遊技盤面方向に移動し、放出口４０６より、遊技空間Ｓに放出される。放出された遊技球は、ほぼ１００％の高い確率で第１始動入賞口２０に入球する。前記遊技球誘導路４０８を通過して、遊技盤面方向に移動し、放出口４０６より遊技盤上に放出される遊技球の挙動は、前記枠部９２の第２孔部３５２から視認可能である。また、前記第２孔部３５２を有する枠部９２下部の突出部３６２は、後に詳述する不正行為者が磁石を使用して、遊技球を誘導し、不正に入賞口に入賞させることを不可能にする効果とともに、放出口４０６から運動量が大きい状態で放出された遊技球が前方の透明板に衝突するのを防止する効果も有している。また、ホール従業員が前記前扉３を開放し前記第２役物装置１９内の遊技球の動きを確認するときに、前記放出口４０６から放出される遊技球が機外に飛び出すのを防止する効果もある。  
【００７８】
次に、落下孔４０４もしくは４０５に落下した遊技球は、遊技球誘導路４０９を通過して、遊技盤面方向に移動し、放出口４０７より、遊技盤上に放出される。当該放出された遊技球は前記始動入賞口２０に入球することは無く、アウト球口５１より機外に排出される。  
【００７９】
前述のように、遊技の目標は、大当たりに直結する第１始動入賞口への入賞である。このため、磁石を用いて遊技球を吸着け第１入賞口の上部まで誘導することで、第１始動口に入賞させる不正行為が大きな問題となる。この防止手段が本発明の要旨であるが、次にその詳細について図２３乃至図２６を参照して説明する。  
【００８０】
図２３は第２役物装置１９の正面図（ａ）とＢ−Ｂ断面図（ｂ）を示す。図中、５５は前記前扉３の背面に取付けたガラス板などの透明板である。通常は不正防止効果を高めるため、２重構造（２枚のガラス板を所定間隔をおいて平行配置した構造）になっているが、ここでは、説明を簡略化するため、遊技盤に近い側の透明板のみを図示している。図２４は図２３（ａ）におけるＥ領域の拡大図である。また、図２５は、図２３（ｂ）におけるＦ領域の拡大図である。  
【００８１】
まず、図２５を参照して、第２役物装置１９の前記第２孔部３５２を有する枠部９２下部の突出部３６２と、透明板５５と遊技盤５の関係について説明する。透明板の裏面と前記突出部３６２表面までの距離（図２５，Ｌ３）については、前記突出部３６２が透明板に近接位置するような関係を要する。具体的には少なくとも、Ｌ３は遊技球の直径Ｄよりも小である必要がある。また、当然のことながら前記遊技球誘導路４０８を通過して、放出口４０６から遊技盤上に放出された遊技球は第１始動入賞口への空間を落下する必要があるので、図２５のＬ４は遊技球の直径Ｄよりも大である必要がある。  
【００８２】
さらに、前記突出部３６２の背面と透明板５５の背面との段差Ｋの大きさは、磁石を用いて遊技球を誘導しても遊技球が段差Ｋを越えられない大きさとすることが必要である。なお、好ましくは段差Ｋの大きさを遊技球の半径より大きくすれば磁石の吸着力が極めて大きい場合でも、理論上、遊技球が段差を越えることが出来ない。ただし、不正行為者が携行可能な永久磁石の吸着力には限りがあるので、段差Ｋの大きさは遊技球の半径以下でもよく、その値は磁石の吸着力を想定すれば、実験的にも容易に求めることが可能である。なお、遊技球が段差Ｋを越えられないか否かを決定付けるもう一つの条件として、遊技球と突出部３６２との接点と透明板５５の背面との距離が問題となる。例えば、突出部３６２の端面が傾斜し、遊技球との接点が透明板５５に接近すれば、それだけ段差Ｋの有効高さが減少することになるので、可能な限り遊技球との接点が透明板５５の背面から遠ざかるように突出部３６２の端面形状を設計すべきである。  
【００８３】
次に、図２４について説明する。前記突出部３６２と第１始動入賞口２０への入口幅を実質的に規定する２本の障害釘３４１Ｌ，３４１Ｒの軸部５８Ｌ，５８Ｒまでの距離Ｌ１は、遊技球の直径Ｄよりも小である。なお、前記突出部３６２と実質的に第１始動入賞口２０への入口を規定する２本の障害釘がない場合は、前記Ｌ１は、前記突出部３６２と第１入賞口２０の開口上辺３４３との距離になる。また、前記突出部３６２の幅Ｌ２と実質的に前記第１始動入賞口への入口を規定する障害釘３４１Ｌ，３４１Ｒ間の距離Ｌ６との関係は、Ｌ２がＬ６よりも大である必要がある。なお、ここでも実質的に前記第１始動入賞口への入口を規定する障害釘がない場合は、前記Ｌ６はＬ７に変わる。ここでの前記突出部３６２の幅とは、例えば、おおまか先端部の左右方向に水平となっている部分である。なお、当然のことながら、前記障害釘３４１Ｌ，３４１Ｒの頭部の先端から前記透明板５５までの距離は、遊技球の直径Ｄよりも小である。  
【００８４】
ただし、上記の説明では遊技球の立体的な位置関係を考慮に入れずに説明したもので、これを考慮に入れれば遊技球が障害釘の頭部を乗り越えて突出部３６２の背後に乗り上げないよう、前記突出部３６２と障害釘３４１Ｌ，３４１Ｒとの距離Ｌ１はさらに小さく設定されるべきである。その距離は、前記突出部３６２の段差Ｋの大きさを決定したと同様の手法により容易に決定することが可能である。  
【００８５】
透明板５５と突出部３６２との関係や、突出部３６２と障害釘３４１Ｌ，３４１Ｒとの関係が上記に示すような関係にある場合は、前記磁石で透明板５５越しに遊技球を吸着け、磁石に位置を変更して遊技球を第１始動入賞口の上方に遊技球を移動させることは不可能となる。つまり、図２６に示すように、遊技球を磁石で透明板の背面に沿わせる形で、第１始動入賞口の上方へ遊技球を誘導しようとしても、前記突出部３６２及び障害釘３４１Ｌ，３４１Ｒが引っかかって邪魔になるとともに、遊技球が前記突出
部３６２の側面に当接した状態では、磁石の吸着力を大きくしても前記突出部３６２の段差Ｋを遊技球が越えることが不可能のため、第１入賞口上方に遊技球を誘導するのを阻止することができる。つまり、無理に遊技球を磁石で入賞口２０の上方に誘導しようとすると、遊技球と磁石との間隔が広がり、遊技球に作用する磁力が急激に低下して、図２６に示すように、遊技球は、入賞口２０に入ることなく落下する。  
【００８６】
また、次に第２実施例として、前記第１役物装置の下方に大当たり確率の高い始動入賞口や入賞すると大当たりとなる特別入賞口が設置されている場合について説明する。図２７は、第１役物装置１４と同じ役物装置の下に特別入賞口２２０（ここに入賞すると大当たり当選するので、特にＶ入賞口と称される。）が設置されている場合を示す。遊技球が特別入賞するためには、上記に詳述したように、役物装置１４の中を遊技球が通過し、最終的に前記放出口２１１（図５，６参照）から、遊技盤５に放出される以外には、可能性がないゲージ構成となっている。  
【００８７】
図２８は、図２７におけるＧ領域の拡大図であり、図２９は図２８における第１役物装置１４及び特別入賞口のＡ−Ａ断面図である。図３０は、図２９におけるＨ領域の拡大図である。第２実施例も磁石を用いた入賞口２２０への遊技球の不正な入賞防止対策については基本的に第１実施例と同じであり、図中、前記図１乃至図２７と同一符号を付した箇所は同一部材、同一部分を示している。  
【００８８】
まず、図２７、図２９及び図３０を参照しつつ第１役物装置１４の第１孔部３５１を有する枠部９００下部の突出部３６１と、透明板５５と遊技盤５の関係について説明する。透明板５５の裏面と前記突出部３６１表面までの距離（図３０，Ｌ３）については、前記突出部３６１が透明板５５側に偏した位置関係を要する。具体的には少なくとも、Ｌ３は遊技球の直径Ｄよりも小である必要がある。また当然のことながら、前記、遊技球誘導路２１２を通過して、放出口２１１から遊技盤上に放出された遊技球は第１始動入賞口に続く遊技空間Ｓを通過する必要があるので、図３０のＬ４は遊技球の直径Ｄよりも大である必要がある。  
【００８９】
次に、図２８を参照して、前記突出部３６１と実質的に特別入賞口２２０への入口を規定する２本の障害釘３４２Ｌ，３４２Ｒの軸部５９Ｌ，５９Ｒまでの距離Ｌ１は、遊技球の直径Ｄよりも小である。また、前記突出部３６１の幅Ｌ２と実質的に前記第１始動入賞口への入口を規定する障害釘３４２Ｌ，３４２Ｒ間の軸間距離Ｌ６との関係は、Ｌ２がＬ６よりも大である必要がある。ここでの前記突出部３６１の幅とは、例えば、おおまか先端部の左右方向に水平となっている部分である。なお、当然のことながら、前記障害釘３４２Ｌ，３４２Ｒの頭部の先端から前記透明板５５までの距離は、遊技球の直径Ｄよりも小である。  
【００９０】
さらに、前記突出部３６１の背面と透明板５５の背面との段差Ｋの大きさは、磁石を用いて遊技球を誘導しても遊技球が段差Ｋを越えられない大きさとすることが必要である。なお、好ましくは段差Ｋの大きさを遊技球の半径より大きくすれば磁石の吸着力が極めて大きい場合でも、理論上、遊技球が段差を越えることが出来ない。ただし、不正行為者が携行可能な永久磁石の吸着力には限りがあるので、段差Ｋの大きさは遊技球の半径以下でもよく、その値は磁石の吸着力を想定すれば、実験的にも容易に求めることが可能である。なお、遊技球が段差Ｋを越えられないか否かを決定付けるもう一つの条件として、遊技球と突出部３６１との接点と透明板５５の背面との距離が問題となる。例えば、突出部３６１の端面が傾斜し、遊技球との接点が透明板５５に接近すれば、それだけ段差Ｋの有効高さが減少することになるので、可能な限り遊技球との接点が透明板５５の背面から遠ざかるように突出部３６１の端面形状を設計すべきである。  
【００９１】
透明板５５や突出部３６１や障害釘３４２Ｌ，３４２Ｒが上記に示すような関係を保つ場合には、磁石で透明板越しに遊技球を吸着け、磁石を移動させることで遊技球を特別入賞口２２０の上方に遊技球を移動させることは不可能となる。つまり、図３１に示すように、遊技球を磁石で透明板の背面に沿って移動させる場合、前記特別入賞口２２０の上方へ遊技球を誘導しようとしても、前記突出部３６１及び障害釘３４２Ｌ，３４２Ｒが引っかかって邪魔になるとともに、遊技球が前記突出部３６１の側面に接した状態では、前記突出部３６１と透明板５５との段差Ｋを遊技球が乗り越えることができないため、前記特別入賞口２２０上方に遊技球を誘導することは不可能である。つまり、無理に遊技球を磁石で特別入賞口２２０の上方に誘導しようとすると、遊技球と磁石との距離が離れ、遊技球に作用する磁力が急速に減少するため、図３１に示すように、遊技球は、入賞口２２０に入ることなく落下する。  
【００９２】
なお、この第２実施例で、起こりうる可能性のある磁石を用いた不正行為として、第１役物装置１４内の遊技球振分けステージ２００（図６〜図９参照）を転動する遊技球に対して磁石を用いて、遊技球の動きを変化させて、有利になるよう（前記放出口２１０に遊技球を入球させる）実行するものがある。上述したように前記放出口２１０に遊技球が入球すれば、ほぼ１００％前記特別入賞口２２０に入球するので、不正行為者にとって狙うポイントとなりうる。この遊技球振分けステージの遊技球に磁石を使用する不正行為に対しては、磁石センサ３８（図５、図９参照）を設置することで、不正行為を検出することが可能である。  
【００９３】
一方で、前記振分けステージ２００は、上述のように、各凹部案内路２０６Ｌ，２０６Ｒにより案内された遊技球が一方の周回運動凹部２０４Ｌ，２０４Ｒに進入する際に他の遊技球がその周回運動凹部２０４Ｌ，２０４Ｒで周回運動していると両遊技球が衝突して進入する方の遊技球が跳ね飛ばされ得るようになっており、また、周回運動凹部２０４Ｌ，２０４Ｒは、勢いよく遊技球が入っても有利側案内路２０５側に飛び出し難い深さを有しており遊技球同士の衝突によって跳ね飛ばされた遊技球のみが前記有利側案内路２０５に進入し得るように構成されている（図２０参照）。つまり、複数の遊技球が偶発的に衝突するにより、そのうちの1球が前記放出口２１０に入球する。従って、この振分けステージ２００で、磁石を用いて不正を行おうとしても、複数の遊技球を制御しなければならないため、遊技球を不正に前記放出口２１０に誘導するのが困難となっている。故に、この振分けステージ２００自体の構造は、磁石を使用した不正行為に強い構造となっていると言える。  
【００９４】
次に、本発明の第３実施例を図３２乃至図３４に示す。この実施例の入賞装置７００は、前記実施例１及び実施例２とは異なり、入賞口を含む入賞装置７００の１部に前記磁石による不正防止機能を保有させたものである。図３２（ａ）は、入賞装置７００の正面図であり、図３２（ｂ）は入賞装置７００を上から見下した平面図である。図３２（ｃ）は前記図３２（ａ）に示す入賞装置７００のＡ−Ａ断面図である。ただし、図３２（ｃ）においては釘７０８Ｌ，７０８Ｒの図示を省略している。図３３（ｄ）は前記入賞装置装置７００を斜め前方から見た斜視図、図３３（ｅ）は斜め後方からの斜視図である。  
【００９５】
本実施例の磁石による不正行為の防止機能を備えた入賞装置７００は、図３２乃至図３４に示すように、入賞口７０１を有する入賞口構成筒部７０４と、前記入賞筒部の周囲に設置された周囲障害部７０２と前記周囲障害部７０２と連接し、かつ前記入賞口７０１の上方を覆う屋根形状の上障害部７０３とから構成される磁石を使用した不正行為防止機能を有する障害物７０６と、前記入賞筒７０４を遊技盤に取付けるための基板７０５とから構成される。  
【００９６】
通常、入賞口７０１に、入球する時は、図３３（ｄ）の釘配列７１０Ｌもしくは７１０Ｒ上を入賞口方向に向けて流下し、実質的に入賞口の幅を規定している障害釘７０８Ｌ,７０８Ｒの間を通過して入賞口７０１に入球する。このとき、遊技球が入賞口７０１の上方からも入球可能なように、上障害部７０３と遊技盤５との間隔距離Ｌ８は、少なくとも遊技球の直径Ｄよりも大となっている。  
【００９７】
このとき前記周囲障害部７０２の背面と透明板５５の背面との段差Ｋ1の大きさは、磁石を用いて遊技球を誘導しても遊技球が段差Ｋ１を越えられない大きさとすることが必要である。なお、好ましくは段差Ｋ１の大きさを遊技球の半径より大きくすれば磁石の吸着力が極めて大きい場合でも、理論上、遊技球が段差を越えることが出来ない。ただし、不正行為者が携行可能な永久磁石の吸着力には限りがあるので、段差Ｋ１の大きさは遊技球の半径以下でもよく、その値は磁石の吸着力を想定すれば、実験的にも容易に求めることが可能である。なお、遊技球が段差Ｋ１を越えられないか否かを決定付けるもう一つの条件として、周囲障害部７０２の側面に対する遊技球の接点と透明板５５の背面との距離が実質上の段差となる。例えば、周囲障害部７０２の端面が傾斜し、遊技球との接点が透明板５５に接近すれば、それだけ段差Ｋ１の有効高さが減少することになるので、可能な限り遊技球との接点が透明板５５の背面から遠ざかるように周囲障害部７０２の端面形状を設計すべきである。  
【００９８】
また、前記上障害部７０３の背面と透明板５５の背面との段差Ｋ２の大きさは、磁石を用いて遊技球を吸着け前記上障害部７０３の上方に誘導し、透明板５５から磁石を遠ざけて遊技球を入賞口に７０１内に落下させようとしても、遊技球が前記上障害部７０３の背面側に落下しない大きさとすることが必要である。好ましくは段差Ｋ２を遊技球の半径以上の大きさとし、かつ、前記上障害部７０３の上面における遊技盤５側に遊技球が背面側へ落下するのを阻止するリブ７１３を設けたり、透明板５５側に向かって下り傾斜する傾斜面を形成したりするのがより有効である。  
【００９９】
上記構成によれば透明板５５の前面に押し当てた磁石により遊技球を吸着し、透明板５５の背面に沿わせて前記入賞口７０１へ誘導する不正行為が行われても、入賞口の上方向からの不正入球は上障害部７０３が防止する。その一例を図３４（ａ）に示す。つまり、前記障害物７０６の背面と透明板５５の背面との段差Ｋ１、Ｋ２は、いずれも遊技球の半径よりも大のため、入賞口７０１の上方向から磁石により遊技球を誘導した場合、前記上障害部７０３に接触した遊技球は、前記段差Ｋ２を越えて上障害部７０３の裏側には回り込めず、屋根状の上障害部７０３に沿って側方に移動し、前記釘配列７１０Ｒの中で入賞口７０１に最も近い釘と、前記入賞口筒部７０４との間から下方に落下する。なお、上障害部７０３を移動した遊技球が入賞口７０１に入球しないように、前記上障害部の幅Ｌ１１は、入賞口７０１の幅を実質的に規定している釘７０８Ｌ，７０８Ｒの軸間距離Ｌ１０よりも大となっている。  
【０１００】
また、磁石により遊技球を吸着し透明板５５の裏面に沿って入賞口７０１へ誘導する不正行為が行われた場合、入賞口７０１の側面方向から誘導された遊技球は周囲障害部７０２が入賞口７０１への入球を阻止する。その一例を図３４（ｂ）に示す。つまり、入賞口７０１の直上および入賞口７０１の側方から誘導され前記周囲障害部７０２に接触した遊技球は、前記周囲障害部７０２の背面と透明板５５の背面との段差Ｋ１、Ｋ２の存在によって、周囲障害部７０２の裏側には回り込むことが出来ないため、前記釘配列７１０Ｒの中で入賞口７０１に最も近い釘と、前記入賞口筒部７０４との間から下方に落下する。
【０１０１】
なお、上記第３実施例では、前記上障害部７０３の上方の離れた位置に遊技球を誘導し、磁石を遠ざけて遊技球を落下させた場合、落下した遊技球は、重力によりほぼ垂直に落下し、上障害部７０３の上面と衝突するので、図３４（ａ）に示すような態様で入賞口７０１には入球しない。ただし、遊技球が上障害部７０３の上面でバウンドし、入賞口へ不測に入球してしまう可能性もゼロとは言えない。  
【０１０２】
なお、上記の磁石による不正行為は、ホール従業員が犯行現場に到着するまでの短時間に行う必要があり、何度も試みることは事実上、不可能である。よって、第３実施例にかかる障害物の構成は不正対策として充分効果的であると言える。  
【０１０３】
次に本発明の第４実施例を図３５〜図３７について説明する。この実施例は入賞口に側部からのみ入賞可能な入賞装置について本発明を適用したものである。図３５（ａ）は、入賞装置７５０の正面図、図３５（ｂ）は入賞装置７５０を上方から見た平図面、図３５（ｃ）は前記図３５（ａ）に示す入賞装置７５０のＡ−Ａ断面図、図３６（ｄ）は前記入賞装置装置７５０を斜め前方から見た斜視図、図３６（ｅ）は前記入賞装置装置７５０を斜め後方から見た斜視図である。
【０１０４】
図３５及び図３６において入賞装置７５０は、入賞口７５１を有する入賞口構成筒部７５４の前面において、磁石を使用した不正行為防止機能を有する障害部７５６を備えている。前記障害部７５６は前記入賞口構成筒部７５４を包囲する形状の周囲障害部７５２と、前記入賞口７５１の上方を覆う屋根形状の上障害部７５３と、前記入賞筒７５４を遊技盤に取付けるための基板７５５とから構成されており、周囲障害部７５２と上障害部７５３とは一体に形成されている。  
【０１０５】
かかる構成の入賞装置７５０にあっては通常、遊技球が入賞口７５１に入球する時は、図３３（ｄ）の釘配列７６０Ｌもしくは７１０Ｒ上を入賞口方向に向けて流下し、入賞装置７５０の側方部の空間部より、入賞口７５１に入球する。前記上障害部７５３は、基板７５５と連接しているので入賞口７５１の上方から遊技球の入球は不可能である。  
【０１０６】
磁石により遊技球を吸着し、透明板５５の背面に沿って前記入賞口７５１まで誘導する不正行為が行われた場合、入賞口の上方に誘導された遊技球は上障害部７５３によって入賞口７５１への入球が阻止される。この作用の一例を図３７（ａ）について説明する。すなわち、遊技球を入賞口７５１の上障害部７５３から上方の離れた位置まで磁石で誘導した後、磁石を透明板５５から離して、遊技球を落下させた場合、遊技球は入賞口７５１の上方を全面的に覆っている前記上障害部７５３に衝突し、屋根状の上障害部７５３に沿って側方に移動したのち、前記釘配列７１０Ｒの中で入賞口７５１に最も近い釘と、前記入賞口筒部７５４との間から下方に落下する。  
【０１０７】
また、磁石により遊技球を吸着して透明板５５の裏面に沿わせて入賞口７５１に対し横方向から誘導された遊技球は、周囲障害部７５２によって入球が阻止される。このときの作用を図３７（ｂ）について説明する。すなわち、入賞口７５１の直上、または、入賞口７０１の側方から磁石を使用して遊技球を誘導した場合、前記周囲障害物７５２に接触した遊技球は、前記周囲障害物７５２の背面と透明板５との段差Ｋの存在によって、周囲障害物７５２の裏側に回り込むことが出来ないため、不正行為者があきらめて磁石を透明板から遠ざけると、遊技球は前記釘配列７６０Ｒの中で入賞口７５１に最も近い釘と、前記入賞口筒部７５４との間から下方に落下する。  
【０１０８】
次に、図２、図１６、図１７を参照して、第１実施例の遊技進行の制御について記載する。まず、遊技者は、前記第１始動入賞口に遊技球を入賞させることから始まる（ＳＴ１）。しかし、本発明にかかるパチンコ遊技機は、まず前記第１役物装置１４、次に第２役物装置１９内に遊技球を通過させ、最終的に放出口４０６より遊技球を放出しなければ、第１始動入賞口に入賞することは無い。よって、本実施例では頻繁には第１始動口に入球することは無い。振分装置を無事通過して前記第１始動入賞口２０に入賞すれば判定がＹＥＳとなり、大当たり乱数抽選が実行される（ＳＴ２）。本実施例では、大当たり確率は６５５３２／６５５３６（図１７参照）と極めて高確率のため、第１始動入賞口２０に入球すれば、ほぼ１００％の確率で大当たりに当選する。大当たり遊技に当選すれば、大当たり遊技が行われる（ＳＴ３）。本実施例の大当たり遊技は、２ラウンドであり、１ラウンドは大入賞口２２に１球入賞すれば終了し、賞球数は６球である。  
【０１０９】
大当たり遊技の終了後は、必ず確変遊技モードに移行する。当該確変遊技モードでの大当たり確率は６５５３３／６５５３６である。（図１７参照。以下も同じ）またこのときに、大当たり遊技間の確変遊技回数の上限値Ｎ（例えばＮ＝３０）が設定される（ＳＴ４）。よって確変回数が上限値に達するまでは大当たり遊技が連荘することになる。なお、前記確変遊技中は時短遊技機能も作動する。時短遊技機能とは、具体的には普通電動役物２５の開放延長機能である。スルーゲート２６を遊技球が通過すると普通図柄乱数抽選が実行されるが、その当選確率は通常遊技時では６／６５５２０であり、時短遊技時は６５５２０／６５５２２である。また前記当選時の普通電動役物の最大開放時間は、前記通常遊技時では０.２秒間であり、前記時短遊技時は５．５秒間である。  
【０１１０】
すなわち、時短遊技機能が作動していなければ、スルーゲートに遊技球を通過させても当選確率は６／６５５２０であり、第２始動入賞口２４の開口機会は極めて少ない。また例え当選したとしても、普通電動役物２５の開放時間は０．２秒間であり、第２始動入賞口２４への遊技球の入球は困難である。よって、いわゆる通常遊技中は、第２入賞口に遊技球を入球させて、大当たりに当選することは、ほぼ不可能である。よって遊技者は、いわゆる初当たりの大当たり遊技は、第１始動入賞口２０に遊技球を入球させるしかないのに等しい。  
【０１１１】
大当たり遊技終了後、確変上限回数が主制御部のＲＡＭに設定記憶され（ＳＴ４）、確変遊技が実行される（ＳＴ５）。当該確変遊技で大当たり遊技に当選すれば（ＳＴ６でＹＳ）、継続確変回数の値が１減らされ（ＳＴ７）、大当たり遊技が実行される（ＳＴ８）。Ｎの値が０になるまで、ＳＴ５〜ＳＴ８が繰り返される（ＳＴ９でＮＯ）。  
【０１１２】
すなわち、Ｎ＝０となれば（ＳＴ９でＹＥＳ）最後の大当たり遊技の当選図柄が、大当たり遊技終了後、時短遊技に移行する図柄であったかどうかの判断が実行される（ＳＴ１０）。当該図柄が選択される確率は１／１０である。当該大当たり図柄が、時短遊技に移行する図柄であった場合（ＳＴ１０でＹＥＳ）には、時短遊技に移行する（ＳＴ１１）。当該時短遊技では、普通図柄の当選確率は６５５２０／６５５２２であり、当該当選時の普通電動役物２５の作動時間は５．５秒であるため、遊技球は容易に第２始動口２４に入球する。  
【０１１３】
第２始動口に遊技球が入球すれば実行される大当たり乱数抽選の当選確率は、６５５３２／６５５３６なので、ほぼ１回目の入賞で大当たりに当選する。当該時短遊技中に大当たりすれば（ＳＴ１２でＹＥＳ）再びＳＴ３にもどって、Ｎ回大当たり遊技が継続する。一方、前記時短遊技は、特別図柄が所定回数（例えば１０回）変動するまで、実行される。可能性としては極めて０に近いが、特別図柄が所定回数回転するまで、大当たり遊技に当選しなければ（ＳＴ１３でＹＥＳ）、通常遊技に移行する。また、ＳＴ１０で大当たり図柄が時短付図柄でなかった場合は（ＳＴ１０でＮＯ）、通常遊技に移行する。  
【０１１４】
図１８は、本発明のパチンコ遊技機１の電気的構成を示すブロック図である。図１８を参照して、制御部１００は、Ｉ／Ｏポート１０１Ａ，１０１Ｂ，１０１Ｃと、ドライバ回路１０２，１０３，１０４と、主制御部１１０と、副制御部１２０，１３０と、中継基板１４０とを含む。Ｉ／Ｏポート１０１Ａ，１０１Ｂは、主制御部１１０と入力部３０とのインタフェースであり、Ｉ／Ｏポート１０１Ｃは、副制御部１２０と入力部とのインタフェースである。ドライバ回路１０２，１０３，１０４は、各制御部１１０，１２０，１３０の指令に基づいて出力部６０を駆動する。  
【０１１５】
入力部３０は、第１始動入賞口センサ３１と、第２始動入賞口センサ３２と、大入賞口センサ３３と、スルーゲートセンサ３４と、普通入賞口センサ３５と、第１振動センサ３６と、第２振動センサ３７と、第１磁気センサ３８と、第２磁気センサ３９と、電波センサ４０と、ガラス扉開閉センサ４１と、ワープ通路３０３通過センサ４２，４３と、後端開口部２１０通過センサと、導入部３１０通過センサと、ハズレ孔４０４，４０５通過センサ４６とを含む。  
【０１１６】
第１始動入賞口センサ３１は第１始動入賞口２０への遊技球の入球を、第２始動入賞口センサ３２は第２始動入賞口２４への遊技球の入球を、大入賞口センサ３３は大入賞口２２への遊技球の入球と、普通入賞口センサ３５は普通入賞口１７への遊技球の入球とを、それぞれ検出する。スルーゲートセンサ３４は、普通図柄始動ゲート２６を遊技球が通過したことを検出する。  
【０１１７】
第１振動センサ３６及び第２振動センサ３７は、遊技盤５の所定の位置（例えば裏面側）に設置され、遊技者による不正なパチンコ遊技機の振動を検出する。第１磁気センサ３８は、第１役物装置１４における遊技球振分ステージ２００の所定位置（図５，９参照）に設置され、遊技者の不正な磁石ゴトを検出する。第２磁気センサ３９は、第２役物装置１９における枠部の所定位置（図１２参照）に設置され、遊技者の不正な磁石ゴトを検出する。電波センサ４０は第２役物装置１９における振分ステージ４００の裏面側の所定位置（図１２，１４参照）に設置され、遊技者による不正な入賞検知誤作動を検出する。ガラス扉開閉センサ４１は、遊技盤の周辺の所定位置７５（図２参照）に設置され、不正なガラス扉の開放を検出する。  
【０１１８】
また、ワープ通路８８Ｌ,８８Ｒのそれぞれの遊技球通過センサ４２Ｌ，４２Ｒ（図５参照）は、遊技球が前記ワープ通路８８Ｌ，８８Ｒを通過したことを検出する。換言すると、第１役物装置の第１遊技球振分ステージ２００に遊技球が到達したことを検出することになる。また、後端開口部２１０通過センサ４４（図７参照）は、前記第１遊技球振分ステージ２００で、開放口２１１へと通じる後端開口部２１０を遊技球が通過したことを検出する。  
【０１１９】
一方、導入部通過センサ４５（図１１参照）は、第２役物装置の前方飾り役物９２を遊技球が通過したことを検出する。換言すると、遊技球が第２役物装置１９のクルーン部４０２に遊技球が到達したことを検出したことになる。また、ハズレ孔通過センサ４６は、前記クルーン部４０２上で円周回転運動をしていた遊技球が、第２始動入賞口に入球することが不可能なハズレ孔４０４もしくは４０５を通過したことを検出する。  
【０１２０】
出力部６０は、特別図柄表示部２１と、普通図柄表示部２７と、特別図柄保留表示部２８と、普通図柄保留表示部２９と、普通電動役物（第２始動入賞口開閉板）駆動部６１と、特別電動役物（大入賞口開閉板）駆動部６２と、スピーカ１１，１２と、各種演出ランプＬ１，Ｌ２とを含む。普通電動役物駆動部６１は、図２に示した開閉板２５を開閉する。特別電動役物駆動部６２は、大入賞口２２の開閉板２３を開閉する。  
【０１２１】
主制御部１１０は、パチンコ遊技機１における遊技の基本となる動作を制御するためのものであり、抽選手段、特別遊技移行手段及び特別遊技実行制御手段として作動するＣＰＵ１１１と、大当たり乱数やプログラムソフト等が記憶されたＲＯＭ１１２と、一時記憶エリアとしてのＲＡＭ１１３とを含むマイクロコンピュータで構成されている。ＲＡＭ１１３は、確変残回数記憶部を含む。  
【０１２２】
主制御部１１０は、入力部３０からＩ／Ｏポート１０１Ａもしくは１０１Ｂを介して入力された信号に基づいて、乱数抽選の結果に応じたコマンドや不正情報やデータ等を中継基板１４０を介して副制御部１２０に一方向に出力すると共に、ドライバ回路１０２を介して出力部６０に含まれる特別図柄表示部２１と、普通図柄表示部２７と、特別図柄保留表示部２８と、普通図柄保留表示部２９と、普通電動役物（第２始動入賞口開閉板）駆動部６１と、特別電動役物（大入賞口開閉板）駆動部６２とに制御信号を与える。また、不正信号を
受信したときは、副制御部１２０や１３０に音やランプで警告を実行させるコマンドを送信する。  
【０１２３】
抽選手段として作動するＣＰＵ１１１は、遊技球が最１始動入賞口２０もしくは第２始動入賞口２４に入球したことを条件として各種乱数値を取得し、取得乱数値と大当たり乱数とが一致するか否かを判定する。特別遊技状態移行手段として作動するＣＰＵ１１１は、乱数抽選において取得乱数値と大当たり乱数とが一致したことを条件として遊技者にとって有利となる大当たり遊技に移行させる。  
【０１２４】
副制御部１２０、１３０は、入力部３０からＩ／Ｏポート１０１Ｃを介して入力された信号に基づいて、遊技盛り上げ演出を実行する。例えば、ワープ通路８８Ｌもしくは８８Ｒを遊技球が通過したことをセンサ４２Ｌもしくは４２Ｒが検出したときには、第1振分ステージに遊技球が到達したことであり、大当たりに一歩近づいたことを意味する。副制御部１２０並びに１３０のそれぞれのＣＰＵ１２１、１３１は、大当たりに一歩近づいたことを遊技者に知らせる音と光の演出をドライバ回路１０３並びに１０４を通じて、スピーカ１１,１２とランプ類Ｌ１，Ｌ２に所定時間または所定の条件が成立するまで実行させる。  
【０１２５】
また、副制御部１２０、１３０は、後端開口部２１０通過センサ４４が遊技球の通過を検出すれば、大当たり遊技当選に、直結する第１始動入賞口へ到達するために必要な、第２役物装置へ入球する可能性が広がったということで、前記ワープ通路８８Ｌ，８８Ｒを遊技球が通過したときよりも、さらに期待感を高める派手な音と光の演出をスピーカ１１,１２とランプ類Ｌ１，Ｌ２に所定時間または所定の条件が成立するまで実行させる。  
【０１２６】
また、副制御部１２０、１３０は、導入部３０１通過センサ４５が遊技球の通過を検出すれば、大当たり遊技当選に、直結する第１始動入賞口へ到達するために必要な、第２役物装置へ遊技球が入球し、前記第２遊技球振分装置４００のクルーン部４０２に到達したことを受けて、前記後端開口部２１０通過センサ４４が遊技球の通過を検出したときよりも、さらに期待感を高める派手な音と光の演出をスピーカ１１,１２とランプ類Ｌ１，Ｌ２に所定時間または所定の条件が成立するまで実行させる。  
【０１２７】
一方、前記第２遊技球振分装置４００のクルーン部４０２に到達した遊技球が徐々に中心に近づきつつ円周回転運動した結果、ハズレ孔に入球した場合は、ハズレ孔４０４，４０５通過センサ４６からの信号を受けて、副制御部１２０、１３０は音と光による残念演出をスピーカ１１,１２とランプ類Ｌ１，Ｌ２に所定時間または所定の条件が成立するまで実行させる。一方、当たり孔４０３に入球した遊技球は、前記第１始動入賞口に入球し、その際はほぼ１００％大当たりするので、大当たり当選情報を主制御部１１０から受信した副制御部１２０、１３０は、音と光による大当たり演出を、スピーカ１１,１２とランプ類Ｌ１，Ｌ２に所定時間または所定の条件が成立するまで実行させる。  
【０１２８】
図３８および図３９は本発明にかかるパチンコ遊技機の変形実施例であって、入賞口の球詰まり解消や障害釘の間隔調整などのメンテナンス作業を行い易くする目的で、メンテナンス時には障害物を入賞口の入口の上部から簡単な操作で退避可能とした構成を示している。図３８は前記図２２乃至図２６に図示した第２役物装置１９の下部の形態を示した正面図、図３９は図３８におけるＣ−Ｃ矢視側断面図である。これらの図において前記図２２乃至図２６と同一符号を付した箇所はそれぞれ同一部材、同一部分を示している。  
【０１２９】
図３８に示す前記第２役物装置１９の枠部９２の下端にはコ字状の切欠き３６３が設けられていると共に、この切欠き３６３内において、枠部９２と別体に形成された舌片状の突出部３６２´を回動可能に収容している。突出部３６２´は前記切欠き３６３に収容される矩形の基端部と前記枠部９２の輪郭線から下方に突出した略逆台形状の先端部とを一体に形成した板状をなすもので、その中央には前記前記図２２乃至図２６にて説明したのと同様に第２孔部３５２が形成されている。また、前記突出部３６２´は上端の左右両側部において、水平に突出した軸３６４Ｌ、３６４Ｒを具備しており、これらの軸軸３６４Ｌ、３６４Ｒを前記切欠き３６３の隅部に形成した図示なきボス部の軸受孔３６５Ｌ、３６５Ｒ内に嵌挿することで、下端が軸３６４Ｌ、３６４Ｒを中心に所定の角度範囲にて回動可能となっている。  
【０１３０】
図中、３６６は突出部３６２´の前面において、前記透明板５５と対向させて形成した半球状の突起である。この突起３６６は透明板５５の背面と当接して突出部３６２´の角度位置を決定するためのもので、通常は突出部３６２´と透明な合成樹脂材料にて一体形成されるが、突起３６６のみを弾力性を有する透明な塩化ビニール、シリコンゴム等で別体に形成し、突出部３６２´に透明接着剤で接着するようにしてもよい。なお、突出部３６２´は図３９に示すように、下端が遊技盤５の前面と当接する位置と、遊技盤５と平行な状態から前方へ約７５°以下の角度範囲で回動可能となっていると共に、図示なき捩りバネにより図３９における矢印Ｘ方向に付勢されている。  
【０１３１】
なお、突出部３６２´の幅や、突出部３６２´が図３９にて実線位置にある状態での突出部３６２´の背面と透明板５５の背面との段差Ｋの大きさ、突出部３６２´の下端と障害釘３４１Ｌ、３４１Ｒとの距離の関係等は前記図２２乃至図２６で説明した内容と同一のため、ここでは説明を省略する。  
【０１３２】
本実施形態のパチンコ遊技機は概ね上記の構成を有するものであるが、遊技中においては閉鎖した前扉３の透明板５５の内面に前記突出部３６２´の突起３６６が係合し、突出部３６２´の角度位置を背面が透明板５５の背面と平行になるように、すなわち、図３９に実線で示す角度位置に保持しているので、クルーン部の落下孔４０３に入球し、遊技球誘導路４０８を通過して放出口４０６より、遊技盤５の前方の遊技空間Ｓに放出された遊技球は突出部３６２´の背面と衝突して下方に向きを変更し、ほぼ１００％の確率で第１始動入賞口２０に入球する。  
【０１３３】
なお、遊技中において前記第１始動入賞口２０や、障害釘３４１Ｌ、３４１Ｒの間にて球詰まりが発生した場合に、ホール従業員が鍵を使用して前扉３を開放すると、突出部３６２´は、付勢バネの作用により図３９に二点鎖線で示すように下端が前方へ回動し、前記障害釘３４１Ｌ、３４１Ｒで形成される前記第１始動入賞口２０の入口から退避するため、前記障害釘３４１Ｌ、３４１Ｒや前記第１始動入賞口２０に対する球詰まり解消作業を即座に実行することができる。  
【０１３４】
また、パチンコ遊技機メーカーからホールへの工場出荷直前時などにおいて前記障害釘３４１Ｌ、３４１Ｒに対する釘調整作業を行う場合は、突出部３６２´を付勢バネの付勢力に抗して遊技盤５側へ押し付け、図３９に一点鎖線で示す角度位置まで回動させると、突出部３６２´の下端が障害釘３４１Ｌ、３４１Ｒの頭部から後方へ大きく退避するため、前記障害釘３４１Ｌ、３４１Ｒに対する釘調整を容易に行うことが可能になる。  
【０１３５】
なお、前記第１始動入賞口２０や、障害釘３４１Ｌ、３４１Ｒに対するメンテナンスを終了し、前扉３を元通りに閉鎖すると、前扉３の透明板５５の内面が突出部３６２´の揺動端と係合し、突出部３６２´をバネの付勢力に抗して図３９の実線位置まで後退させるので、突出部３６２´を容易に元通りの位置に復帰させることが可能であり、磁石による不正入球を阻止する機能を発揮させることができる。なお、突出部３６２´と透明板５５とが衝合したときに突出部３６２´が自動的に元通りの位置まで回動する条件は、突出部３６２´の待機角度が透明板５５の進入角度、すなわち、水平方向に対してバネの付勢方向Ｘと逆向きの回転モーメントを生じるようにすることが必要である。そのため、この実施形態においては突出部３６２´の前方への回動角度を、遊技盤５と平行な状態から前方へ約７５°以下の角度範囲に規定している。また、上記の実施形態では第２役物装置１９の下部に対して適用した場合について説明したが、第１役物装置１４に対しても同様に適用が可能である。  
【０１３６】
なお、上記の実施例においては、舌片形状の突出部３６２´を枠部９２と別体に形成し、これを枠部９２に対して軸３６４Ｌ、３６４Ｒを中心にして回動自在に取付けた構成を開示したが、突出部３６２´の構成は別段これに限定されるものではない。例えば、図１１及び図１２の形態のように突出部３６２を可撓性ならびに弾発性を有する透明な合成樹脂により枠部９２と一体形成し、かつ、突出部３６２のつけ根部の両脇に縦方向にスリットを形成して突出部３６２が根元から撓み易い構成とし、突出部３６２を手で押し引きすることで、突出部３６２の下端を前方に突出させるか、または後方に退避させて第１始動入賞口２０に対するメンテナンスをし易くすることも可能である。  
【０１３７】
図４０は前記図３２乃至図３４に図示した入賞口の形態を示したもので、図４０(ａ)は正面図、図４０(ｂ)は図４０(ａ)におけるＤ−Ｄ矢視側断面図である。これらの図において前記図３２乃至図３４と同一符号を付した箇所はそれぞれ同一部材、同一部分を示している。  
【０１３８】
周囲障害部７０２および上障害部７０３とで構成される障害物７０６は、入賞筒部７０４と別体に構成されており、前記入賞筒部７０４の両側面から水平方向外方に突設した軸７０９Ｌ、７０９Ｒに対して前記障害物７０６の背後に突設した軸受部７１０の孔７１１を遊嵌することで、障害物７０６が所定の回動角度範囲にて回動可能に支持されていると共に、図示なき捩りバネの作用により障害物７０６の上端が前方へ突出するように付勢されている。図中、７１２は障害物７０６の揺動端、すなわち、障害物７０６の上端部の前面に形成された突起であって、この突起７１２は透明板５５の背面と当接して障害物７０６の角度位置を決定するためのものである。  
【０１３９】
上記構成からなる入賞口は、遊技中において閉鎖した前扉３の透明板５５の内面に前記突起７１１が係合し、障害物７０６の角度位置を背面が透明板５５の背面と平行になるように、すなわち、図４０(ｂ)に実線で示す角度位置に保持している。このとき、前記障害物７０６の周囲障害部７０２の背面と透明板５５の背面との段差Ｋ１は磁石で透明板５５に吸い寄せられた遊技球が乗り越えられない大きさを有していると共に、前記上障害部７０３の背面と透明板５５の背面との段差Ｋ２は磁石で透明板５５に吸い寄せられた遊技球が障害物７０６の背後に回り込めない大きさを有している。したがって、磁石を使用して、遊技球を吸着け透明板５５の裏面に沿って前記入賞口７０１まで誘導する不正行為は周囲障害部７０２が阻止すると共に、入賞口７０１に対する上方向から投下される遊技球は上障害部７０３が入球を阻止する。  
【０１４０】
また、遊技中において前記入賞口７０４や、障害釘７０８Ｌ、７０８Ｒの間に球詰まりが発生した場合は、ホール従業員が鍵を使用して前扉３を開放すると、障害物７０６は、図示なき付勢バネの作用により図４０(ｂ)に二点鎖線で示すように上端が前方へ回動し、上端の上障害部７０３が前記障害釘障害釘７０８Ｌ、７０８Ｒで形成される前記入賞口７０４の入口上部から前方へ退避するため、前記障害釘７０８Ｌ、７０８Ｒや前記入賞口７０４に対する球詰まり解消作業を即座に実行することができる。  
【０１４１】
また、ホールへのパチンコ遊技機の工場出荷前などにおいて前記障害釘７０８Ｌ、７０８Ｒに対する釘調整作業を行う場合も、前扉３を開放するだけで前記障害物７０６がバネの付勢力により、図４０に二点鎖線で示す角度位置まで大きく退避するため、前記障害釘７０８Ｌ、７０８Ｒに対する釘調整を容易に行うことが可能になる。  
【０１４２】
なお、前記入賞口７０４や、障害釘７０８Ｌ、７０８Ｒに対するメンテナンスを終了し、前扉３を元通りに閉鎖すると、前扉３の透明板５５の内面が障害物７０６の上端と係合し、障害
物７０６をバネの付勢力に抗して図４０(ｂ)の実線位置まで後退させるので、障害物７０６を容易に元通りの位置に復帰させることが可能であり、磁石による不正入球を阻止する機能を発揮させることができる。  
【０１４３】
図４１は前記図３８および図３９に示したように、大型の役物の下方に近接配置された入賞口の場合とは異なり、遊技空間Ｓの上方に大型の役物の枠部が透明板の背面に近接して存在しない場合や、上方に役物が存在してもその上下方向の距離が離れている場合に好適な実施形態を示したものである。なお、図４１において図３８および図３９と同一符号を付した部分はそれぞれ同一部材、同一部分を示している。  
【０１４４】
図４１において入賞口２０の上部には、入賞口２０に実質上の入口を構成する複数本の障害釘３１４Ｌ、３４１Ｒが遊技盤５の前面に植設されている。この入賞口２０の上方の遊技盤面５には、前記入口２０を覆うように水平に伸びる庇状の上障害部３６７ａとこの上障害部３６７ａの先端から透明板５５に沿って下方に向かって伸びる前方障害部３６７ｂとからなる障害物３６７が配置されていると共に、障害物３６７の上端から遊技盤５に沿って水平に突出した軸３６８Ｌ、３６８Ｒが前記入賞口２０の上方の遊技盤５に突設したボス部３６９の軸孔３７０内に遊嵌されており、所定の角度範囲にて回動可能に枢着され、更に、図示なき捩りバネの働きによって矢印Ｘ方向に向かって回動付勢されている。障害物３６７は通常、背後を通過する遊技球や、背後に位置する放出口４０６を視認し易いよう突起３７１を含めて透明の合成樹脂材料により成形されている。  
【０１４５】
なお、前記前方障害部３６７ｂの前面には透明板５５の背面と当接可能な突起３７１が突設されていると共に、障害物３６７全体の幅が、前記入賞口２０の実質的な幅より広幅に構成されている。また、障害物３６７が図４１にて実線位置にある状態での障害物３６７の背面と透明板５５の背面との段差Ｋの大きさ、障害物３６７の下端と障害釘３４１Ｌ、３４１Ｒとの距離の関係等は前記図２２乃至図２６で説明した内容と同一のため、ここでは説明を省略する。  
【０１４６】
本実施形態のパチンコ遊技機は概ね上記の構成を有するものであるが、遊技中においては閉鎖した前扉３の透明板５５の内面に前記障害物３６７の突起３７１が係合し、障害物３６７の角度位置を背面が透明板５５の背面と平行になるように、すなわち、図４１に実線で示す角度位置に保持しているので、放出口４０６より、遊技盤５の前方の遊技空間Ｓに放出された遊技球は障害物３６７の背面と衝突して下方に向きを変更し、ほぼ１００％の確率で入賞口２０に入球する。  
【０１４７】
なお、遊技中において前記入賞口２０や、障害釘３４１Ｌ、３４１Ｒの間にて突発的に球詰まりが発生した場合に、ホール従業員が鍵を使用して前扉３を開放すると、障害物３６７は、付勢バネの作用により図４０に二点鎖線で示すように下端が前方へ回動し、前記障害釘３４１Ｌ、３４１Ｒで形成される前記動入賞口２０の入口から退避するため、前記障害釘３４１Ｌ、３４１Ｒや前記入賞口２０に対する球詰まり解消作業を即座に実行することができる。  
【０１４８】
また、パチンコ遊技機メーカーからホールへの工場出荷直前時などにおいて前記障害釘３４１Ｌ、３４１Ｒに対する釘調整作業を行う場合は、障害物３６７を付勢バネの付勢力に抗して遊技盤５側へ押し付け、図４１にて一点鎖線で示す角度位置まで回動させると、突出部３６２´の下端が障害釘３４１Ｌ、３４１Ｒの頭部から後方へ大きく退避するため、前記障害釘３４１Ｌ、３４１Ｒに対する釘調整を容易に行うことが可能になる。  
【０１４９】
なお、前記入賞口２０や、障害釘３４１Ｌ、３４１Ｒに対するメンテナンスを終了し、前扉３を元通りに閉鎖すると、前扉３の透明板５５の内面が障害物３６７の揺動端と係合し、障害物３６７をバネの付勢力に抗して図４１の実線位置まで後退させるので、障害物３６７を容易に元通りの位置に復帰させることが可能であり、磁石による不正入球を阻止する機能を発揮させることができる。なお、障害物３６７と透明板５５とが衝合したときに障害物３６７が自動的に元通りの位置まで回動する条件は、障害物３６７の待機角度が透明板５５の進入角度、すなわち、水平方向に対してバネの付勢方向Ｘと逆向きの回転モーメントを生じるようにすることが必要である。そのため、この実施形態においては障害物３６７の前方への回動角度を、遊技盤５と平行な状態から前方へ約７５°以下の角度範囲に規定している。  
【０１５０】
図４２はさらに他の実施形態を開示したもので、障害物を前扉３に保持された透明板５５の背面に固定し、前扉３の開閉動作に連動して、障害物が入賞口２０の入口から自動的に退避する構成を示したものである。この実施形態は前記図３８および図３９に示した役物装置の下方に配置された入賞口に対しても適用可能であるが、図４０および図４１に示した役物とは関係なく配置された入賞口に対する磁石不正対策にも実施が可能である。図中、前記図３８および図３９に示した実施例と同一符号を付した箇所はそれぞれ同一部材、同一部分を示している。  
【０１５１】
入賞口２０の直上の遊技盤面５に形成した放出口４０６と対向する透明板５５の内面には、この入賞口２０の入口２０を覆うように水平に伸びる庇状の上障害物３８１ａとこの上障害物３８１ａの先端から透明板５５に沿って下方に向かって伸びる前方障害物３８１ｂとからなる障害物３８１が設けられ、この障害物３８１は全体がポリカーボネート等の耐衝撃、耐磨耗性に優れた透明樹脂材料で一体に形成されていると共に、その前面が透明板５５の内面に対し透明な接着剤により固定されている。  
【０１５２】
なお、前記障害物３８１は全体の幅が、前記入賞口２０の実質的な幅より広幅に構成されている。また、障害物３８１が図４２にて実線位置にある状態での障害物３８１の背面と透明板５５の背面との段差Ｋ１,Ｋ２の大きさ、障害物３８１の下端と障害釘３４１Ｌ、３４１Ｒとの距離の関係等は前記図２２乃至図２６で説明した内容と同一のため、ここでは説明を省略する。  
【０１５３】
上記構成からなる入賞口は、遊技中において閉鎖した前扉３の透明板５５の内面に固定された障害物３８１の上障害物３８１ａが入賞口２０の上部に覆い被さっているため、磁石を使用して、遊技球を透明板５５裏面に吸い寄せ前記入賞口２０へ誘導する不正行為は上障害物３８１ａが阻止すると共に、入賞口２０に対する横方向からの不正入球は周囲障害物３８１ｂが阻止する。  
【０１５４】
また、遊技中において前記入賞口２０や、障害釘３４１Ｌ、３４１Ｒの間に球詰まりが突発的に発生した場合は、ホール従業員が鍵を使用して前扉３を開放すると、障害物３８１は、全体が前扉３に保持された透明板５５と共に前方へ退避し、上障害物３８１ａが前記障害釘障害釘３４１Ｌ、３４１Ｒで形成される前記入賞口２０の入口上部から前方へ退避するため、前記障害釘３４１Ｌ、３４１Ｒや前記入賞口２０に対する球詰まり解消作業を即座に実行することができる。  
【０１５５】
また、ホールへのパチンコ遊技機の工場出荷前などにおいて前記障害釘３４１Ｌ、３４１Ｒに対する釘調整作業を行う場合も、前扉３を開放するだけで前記障害物３８１が前扉３に保持された透明板５５と共に前方へ大きく退避するため、前記障害釘３４１Ｌ、３４１Ｒに対する釘調整を容易に行うことが可能になる。  
【０１５６】
なお、前記入賞口２０や、障害釘３４１Ｌ、３４１Ｒに対するメンテナンスを終了し、前扉３を閉鎖すると、前扉３の透明板５５の背面に固定した障害物３８１を容易に元通りの位置に復帰させることが可能であり、磁石による不正入球を阻止する機能を発揮させることができる。  
【０１５７】
図４３乃至図４５は本発明を遊技盤の中央に配置される役物装置に適用した場合について例示したもので、図４３は役物装置の斜視図、図４４は側断面図、図４５は図４４におけるＶ−Ｖ線矢視平断面図である。これらの図において遊技盤５の略中央に配置した可変入賞型役物装置８００は、遊技盤面に取付けられる取付基板８０１の中央に開口８０２が開設されると共に、前記取付基板８０１の前面において前記開口８０２を囲うようにして突設した半透明なプラスチック板からなる枠体８０３が設けられている。さらに、前記取付基板８０１の後側には前記開口８０２と連通する遊技室８０５が形成されている。  
【０１５８】
遊技室８０５は、その内部に人形や動物などの形をしたギミック８０７が設けられていると共に、底部が前方の透明板に向かって緩やかに下り傾斜する振分ステージ８０８となっている。また、前記振分ステージ８０８の前端には入球によって、遊技者に有利な大当り遊技の権利を付与する特別入賞口８１１が遊技盤面と平行となるように設けられていると共に、前記特別入賞口８１１の両側には、通常入賞口８１０，８１０が横並びに設けられている。特別入賞口８１１内には入賞した遊技球の通過を電気的に検出する入球検出スイッチ８１２が設けられている。  
【０１５９】
前記枠体８０３の上辺部両脇には、役物装置８００内に流入する遊技球の通過を検出する球通過センサ８１３を備えた可変入賞口８１４Ｌ，８１４Ｒが設けられ、該各可変入賞口８１４Ｌ、８１４Ｒの外側には可動翼８１６が配置されており、これが前記役物装置８００の背後に配置したソレノイド８１５のプランジャの伸縮によりクランク８１９、作動部材８２０、軸受部８１７、８１７´に軸支された回動軸８１８を介し、起立または外側に傾動することで前記各可変入賞口８１４Ｌ、８１４Ｒに繋がる球通路を開閉するようになっている。  
【０１６０】
前記遊技室８０５の内部には、前記可変入賞口８１４の下方の中間高さ位置において、後方へ向けて緩やかに下降傾斜した傾斜ステージ８２３が設けられ、前記可変入賞口８１４に入った遊技球の大部分は傾斜ステージ８２３上に一旦落下し、この傾斜ステージ８２３の後端に設けた間隙８２４から、前記ギミック８０７の前面側を通過して前記振分ステージ８０８上に落下するようになっている。  
【０１６１】
８２５は前記ギミック８０７の腹部に配置された進退動型電動役物であって、この進退動型電動役物８２５は、後方に配置したソレノイド８２６のプランジャの伸縮動作により前後方向に進退駆動される。前記ギミック８０７の背後には遊技球が通過可能な通路８２７が形成されており、この通路８２７は前記ギミック８０７の股下部に開設した球放出口８２８に連通している。８３０はソレノイド８２９の作用により支点８３１を中心に傾動可能に支持された球停留レバーであって、球停留レバー８３０は、その先端８３０ａが前記放出口８２８を閉鎖するように振分ステージ８０８より上下に出没し、前記球放出口８２８から放出される直前の遊技球を通路８２７内に一時停留するように構成されている。  
【０１６２】
更に、前記特別入賞口８１１の上部には、本発明の要部であるアーチ状の障害物８３９が設けられている。この障害物８３９は、全体が透明な合成樹脂材からなり、特別入賞口８１１の両側方とその間の上方を覆い、かつ、背面と前面が開放され、全体が正面から見て円弧状をなすアーチ状に形成することにより、上方および側方からの入球を阻止する。なお、障害物８３９の両側部は、背面側から切欠き部８４１Ｌ、８４１Ｒを形成することで、前端側に偏した帯状の柱部８４０Ｌ、８４０Ｒとなっている。なお、前記障害物８３９の柱部８４０Ｌ、８４０Ｒの背面と、透明板５５の背面との段差の大きさＫは、遊技球の半径よりも大きく設定されている。すなわち、図４５に示すように透明板５５の前面に磁石Ｍを押し当てて吸着した遊技球を磁石Ｍの位置をずらすことで前記特別入賞口８１１に誘導しようとしても、障害物８３９の柱部８４０Ｌ、８４０Ｒの背面と、透明板５５の背面との段差の大きさＫは遊技球の半径より大きく設定されているので、いくら磁力の大きな磁石を使用しても遊技球が前記段差Ｋを乗り越えて特別入賞口１１に導かれることが出来ないようになっている。  
【０１６３】
なお、障害物８３９の両脇に切欠き部８４１Ｌ、８
４１Ｒを設けた理由は、図４５において平面で示すように、振分ステージ８０８上を流下する遊技球の特別入賞口１１への進入可能領域を拡大するためである。すなわち、この切欠き部８４１Ｌ、８４１Ｒが存在しない場合を想定すると、振分ステージ８０８上を流下する遊技球のうち、障害物８３９の後部開口に入球した場合のみ特別入賞口８１１に入賞可能とになり、障害物８３９を設けない従来のパチンコ遊技機より振分ステージ８０８上での入賞可能な遊技球のコースが大幅に狭められることになり、興趣が低下する不都合が生じる。これに対し、本発明のように障害物８３９の両脇に切欠き部８４１Ｌ、８４１Ｒを設ければ、振分ステージ８０８上を特別入賞口８１１に向かって斜めに流下する遊技球についても障害物８３９の側面と干渉することなく特別入賞口８１１への入球の可能性を持たせることが出来、振分ステージ８０８上での遊技球の挙動に遊技者の注目を集めることができ、興趣が高まる。  
【０１６４】
以上、本発明の実施形態について図面を参照しつつ説明したが、この発明は、図示した実施形態に限定されものではなく、発明の技術思想の範囲内において、あるいは均等の範囲内において、種々の修正や変形を加えることが可能である。また、振分ステージ上の遊技球を誘導するのに磁石を使用する恐れがある場合には公知の磁石センサと組み合せることで、不正防止効果はさらに向上する。
【図面の簡単な説明】
【０１６５】
【図１】本発明のパチンコ遊技機の筐体斜視図。
【図２】遊技盤の正面図。
【図３】第１役物装置の斜視図。
【図４】第１役物装置の正面図。
【図５】第１役物装置の本体ケースの正面図。
【図６】第１役物装置内の遊技球振分ステージの斜視図。
【図７】第１役物装置内の遊技球振分ステージの平面図。
【図８】第１役物装置内の遊技球振分ステージを下部通路と共に示した斜視図。
【図９】第１役物装置内の遊技球振分ステージを下部通路と共に示した平面図。
【図１０】第１役物装置と第２役物装置との間の風車と釘配列との関係を示す概要図。
【図１１】第２役物装置の斜視図。
【図１２】第２役物装置の正面図。
【図１３】第２役物装置内の遊技球振分ステージの平面図。
【図１４】第２役物装置内の遊技球振分ステージを下部通路と共に示した平面図。
【図１５】第２役物装置内の遊技球振分ステージの正面図。
【図１６】本発明にかかるパチンコ遊技機の遊技処理を示す制御フロー図。
【図１７】本発明パチンコ遊技機の遊技スペックを示す表。
【図１８】本発明パチンコ遊技機の電気制御ブロック図。
【図１９】第１役物装置内における遊技球の流れの軌跡を示した模式図。
【図２０】第１役物装置内の遊技球振分ステージにおける球流れを示す模式図。
【図２１】風車と釘配列との間を遊技球が転動する様子を示す模式図。
【図２２】第２役物装置内のステージに至る遊技球の流れの軌跡を示す模式図。
【図２３】第１実施例の磁石を使用した不正入賞障害物を有する役物装置と、始動入賞口との正面図及び断面図。
【図２４】図２３におけるＥ領域の拡大図。
【図２５】図２３におけるＦ領域の拡大図。
【図２６】第１実施例において磁石による不正入賞操作時における遊技球の移動態様の一例を示す模式図。
【図２７】第２実施例の磁石を使用した不正入賞障害物を有する役物装置と特別入賞口との関係を示す正面図。
【図２８】図２７におけるＧ領域の拡大図。
【図２９】図２７におけるＡ−Ａ矢視断面図。
【図３０】図２９におけるＨ領域の拡大図。
【図３１】第２実施例において磁石による不正入賞操作時における遊技球の移動態様の一例を示す模式図である。
【図３２】(ａ)は第３実施例にかかる不正防止障害物を備えた入賞口の正面図、(ｂ)は同入賞口を上方から見た平面図、(ｃ)は前記(ａ)におけるＡ−Ａ矢視断面。
【図３３】(ｄ)は第３実施例にかかる入賞口及び不正防止障害物を前斜め上方から見た斜視図、(ｅ)は同上方入賞口及び不正防止障害物について遊技盤面側から見た斜視図。
【図３４】(ａ)は第３実施例にかかる入賞口に対し上方から磁石を使用して不正誘導した遊技球の挙動を示す模式図、(ｂ)は側方から磁石を使用して不正誘導した遊技球の挙動を示す模式図。
【図３５】(ａ)は第４実施例にかかる入賞口及び不正防止障害物の正面図、(ｂ)は同入賞口及び不正防止障害物を上から見た平面図、(ｃ)は(ａ)におけるＡ−Ａ矢視断面図。
【図３６】(ｄ)は第４実施例にかかる入賞口及び不正防止障害物を前斜め上方から見た斜視図、(ｅ)は同入賞口及び不正防止障害物を遊技盤面側から見た斜視図。
【図３７】(ａ)は第４実施例にかかる入賞口に対し上方から磁石を使用して不正誘導した遊技球の挙動を示す模式図、(ｂ)は側方から磁石を使用して不正誘導した遊技球の挙動を示す模式図。
【図３８】本発明パチンコ遊技機に適用可能な障害物の第５の実施例を示す正面図。
【図３９】図３８におけるＣ-Ｃ矢視側断面図。
【図４０】本発明パチンコ遊技機に適用可能な障害物の第６実施例であって、(ａ)は正面図、(ｂ)は前記(ａ)のＤ−Ｄ矢視側断面図。
【図４１】本発明パチンコ遊技機に適用可能な障害物の第７実施例を示す側断面図。
【図４２】本発明パチンコ遊技機に適用可能な障害物の第８実施例を示す側断面図。
【図４３】本発明パチンコ遊技機に適用可能な役物装置の変形実施形態を示す斜視図。
【図４４】図４３に示す役物装置の側断面図。
【図４５】図４４におけるＶ−Ｖ矢視平断面図。
【符号の説明】
【０１６６】
１    パチンコ遊技機      ３    前扉      ５    遊技盤面      １４    第１役物装置      １９    第２役物装置      ２０    第１入賞口      ５５    透明板(ガラス板)      ５６    本体枠      ９２    枠部      ２１１    遊技球放出口      ２２、２２０    特別入賞口      ３５１    枠部の第1孔部      ３５２    枠部９２の第２孔部      ３６１    枠部下部の突出部      ３６２    枠部下部の突出部      ４０６    放出口      ７００    入賞装置      ７０１    入賞口      ７０２,３６７ｂ,３８１ｂ,８４０    周囲障害部(第１の障害部)      ７０３,３６７ａ,３８１ａ,８３９    上障害部(第２の障害部)      ７０４    入賞口構成筒      ９００    枠部      Ｓ    遊技空間
【図１】
0005366456.tif 000002
【図２】
0005366456.tif 000003
【図３】
0005366456.tif 000004
【図４】
0005366456.tif 000005
【図５】
0005366456.tif 000006
【図６】
0005366456.tif 000007
【図７】
0005366456.tif 000008
【図８】
0005366456.tif 000009
【図９】
0005366456.tif 000010
【図１０】
0005366456.tif 000011
【図１１】
0005366456.tif 000012
【図１２】
0005366456.tif 000013
【図１３】
0005366456.tif 000014
【図１４】
0005366456.tif 000015
【図１５】
0005366456.tif 000016
【図１６】
0005366456.tif 000017
【図１７】
0005366456.tif 000018
【図１８】
0005366456.tif 000019
【図１９】
0005366456.tif 000020
【図２０】
0005366456.tif 000021
【図２１】
0005366456.tif 000022
【図２２】
0005366456.tif 000023
【図２３】
0005366456.tif 000024
【図２４】
0005366456.tif 000025
【図２５】
0005366456.tif 000026
【図２６】
0005366456.tif 000027
【図２７】
0005366456.tif 000028
【図２８】
0005366456.tif 000029
【図２９】
0005366456.tif 000030
【図３０】
0005366456.tif 000031
【図３１】
0005366456.tif 000032
【図３２】
0005366456.tif 000033
【図３３】
0005366456.tif 000034
【図３４】
0005366456.tif 000035
【図３５】
0005366456.tif 000036
【図３６】
0005366456.tif 000037
【図３７】
0005366456.tif 000038
【図３８】
0005366456.tif 000039
【図３９】
0005366456.tif 000040
【図４０】
0005366456.tif 000041
【図４１】
0005366456.tif 000042
【図４２】
0005366456.tif 000043
【図４３】
0005366456.tif 000044
【図４４】
0005366456.tif 000045
【図４５】
0005366456.tif 000046